(57)【要約】【課題】漢方医、鍼灸師等の専門家が接診により行っていた「脈診」を脈測定器とデータベース解析により、精度の高い健康状態の評価をして健康管理をする。【解決手段】健康状態の評価を受けるユーザーＡの動脈を測定する脈測定器２ａ，２ｂと、脈測定器で測定した脈に関する測定値データを健康評価管理者Ｂに送信すると共に、健康評価管理者Ｂから情報を受信する機能を有する端末機器１と、健康評価管理者Ｂが管理する、端末機器１から送信された測定値データを解析すると共に、健康状態を評価解析する上で必要な健康状態に関する種々のデータを有する管理サーバ３と、を備え、ユーザーＡは端末機器１から測定した脈に関する測定値データを健康評価管理者Ｂへ送信し、健康評価管理者Ｂは管理サーバ３で解析した健康状態に関する評価情報を端末機器１へ送信し得るように構成した。【選択図】図１
2020074940.tif 000002
【特許請求の範囲】
【請求項１】
人の脈を測定し、この測定した数値データを解析することにより、その人の健康状態を評価する脈拍測定による健康状態評価システムであって、
健康状態の評価を受けるユーザー（Ａ）の動脈について、脈拍と血圧を測定する脈測定器（２ａ,２ｂ）と、
前記脈測定器（２ａ,２ｂ）で測定した測定値データを表示する表示部（１３）と、入力部（１４）の操作により制御される制御部（１２）と、該測定値データを健康評価管理者（Ｂ）に送信すると共に、該健康評価管理者（Ｂ）から情報を受信する送信部・受信部（１１）を有する端末機器（１）と、
前記健康評価管理者（Ｂ）が管理する、前記端末機器（１）から送信された測定値データを受信する送信部・受信部（３２）と、ユーザー（Ａ）に関する脈について過去に測定したデータを蓄積した測定値情報データベース（３６）と、健康状態が悪化した臓器と脈の測定位置との関係データを格納した健康状態情報データベース（３７）と、健康状態を評価解析する判定部（３４）を有する管理サーバ（３）と、を備え、
ユーザー（Ａ）は前記端末機器（１）から測定した脈に関する測定値データを健康評価管理者（Ｂ）へ送信し、該健康評価管理者（Ｂ）は前記管理サーバ（３）で解析した健康状態に関する評価情報を該端末機器（１）へ送信し得るように構成した、ことを特徴とする脈拍測定による健康状態の評価システム。
【請求項２】
前記管理サーバ（３）における、前記測定値情報データベース（３６）は、ユーザー（Ａ）の現在の年齢、健康時の脈拍数と血圧値（最大／最小）、ユーザー（Ａ）の病歴とその罹（り）患時の年齢、その罹患時の脈拍数と血圧値（最大／最小）について測定した情報データを蓄積し、
前記健康状態情報データベース（３７）は、年齢別に健康な一般的な人の各臓器と、脈の測定位置毎の脈拍数、血圧値（最大／最小）との関係に関する情報データと、不健康なときの人の各臓器と、脈の測定位置毎の脈拍、血圧（最大／最小）との関係に関する情報データを蓄積した、ことを特徴とする請求項１の脈拍測定による健康状態の評価システム。
【請求項３】
前記脈測定器（２ａ）は、
手首（ｗｒ）上で撓骨（とうこつ）動脈部（ａｒ）に巻き付けるバンド（２１）と、
該バンド（２１）に取り付けられたポンプ（２２）から給気されて膨張する空気袋（２３）と、
該空気袋（２３）に取り付けた、可撓性を有する湾曲形状の案内板（２４）と、
該案内板（２４）を介して空気袋（２３）に設けた、脈を測定する圧力センサ（２５）と、
該圧力センサ（２５）に隣接して設けた、手首（ｗｒ）の皮膚（ｓｋ）表面に当てられる前記圧力センサ（２５）の押圧力の強弱を測定する測定面強弱センサ（２７）と、を備え、
主に軽く指を当てて触れる脈である「浮（ふ）脈」と、強く圧して初めて触れる脈である「沈（ちん）脈」との差異を測定できるように構成された、ことを特徴とする請求項１又は２の脈拍測定による健康状態の評価システム。
【請求項４】
前記脈測定器（２ｂ）は、
手首（ｗｒ）上で撓骨（とうこつ）動脈部（ａｒ）に対応する部分に巻き付けるバンド（２１）と、
該バンド（２１）に取り付けられたポンプ（２２）から給気されて膨張する３個の空気袋（２３）と、
各空気袋（２３）に取り付けた湾曲形状の案内板（２４）と、
各案内板（２４）を介して各空気袋（２３）に設けた、脈を測定する圧力センサ（２５）と、
各圧力センサ（２５）に隣接して設けた、手首（ｗｒ）の皮膚（ｓｋ）表面に当てられる各圧力センサ（２５）の押圧力の強弱を測定する測定面強弱センサ（２７）と、を備え、
主に手首の指先に近い位置の「寸（すん）」と、この「寸（すん）」に隣接した位置の「関（かん）」と、この「関（かん）」に隣接した位置の「尺（しゃく）」の３か所の撓骨（とうこつ）動脈部（ａｒ）を個別に測定できるように構成された、ことを特徴とする請求項１又は２の脈拍測定による健康状態の評価システム。
【請求項５】
前記脈測定器（２ａ、２ｂ）のバンド（２１）の表面２か所に矢印（２６）を設け、これら２か所の矢印（２６）を結ぶ線（Ｌ）上に、前記圧力センサ（２５）の中心部が位置するように表示した、ことを特徴とする請求項３又は４の脈拍測定による健康状態の評価システム。
【請求項６】
人の脈拍を測定し、この測定した数値データを解析することにより、その人の健康状態を評価する脈拍測定による健康状態評価方法であって、
健康状態の評価を受けるユーザー（Ａ）が、自分の動脈について、脈拍と血圧を脈測定器（２ａ、２ｂ）を用いて測定し、
前記ユーザー（Ａ）が、測定した脈に関する測定値データについて、入力部（１４）の操作により制御される制御部（１２）を有する端末機器（１）を用いて健康評価管理者（Ｂ）に送信し、
前記健康評価管理者（Ｂ）が、ユーザー（Ａ）から送信された脈拍数、血圧値等の測定値データについて、管理サーバ（３）に格納された、ユーザー（Ａ）に関する脈について過去に測定したデータを蓄積した測定値情報データベース（３６）と、健康状態が悪化した臓器と脈の測定位置との関係データを格納した健康状態情報データベース（３７）とを判定部３４で比較して、そのユーザー（Ａ）の健康状態について評価解析し、
前記健康評価管理者（Ｂ）が、その健康状態の解析結果をユーザー（Ａ）の端末機器（１）へ送信する、ことを特徴とする脈拍測定による健康状態の評価方法。
【請求項７】
前記ユーザー（Ａ）が測定した脈に関する測定値データの脈拍が、「数（さく）脈」と称される９０拍／分以上の脈であるときは、血流が速くなる状態であり、基礎代謝が増加している状態を意味し、発熱疾患、精神緊張、甲状腺機能亢進症、脱水等の一般感染症の疑いがあると評価し、
測定値データの脈拍が、「遅（ち）脈」と称される６０拍／分以下の脈であるときは、血流がゆっくりした状態であり、基礎代謝が低下している状態を意味し、甲状腺機能低下症、低体温症等の疑いがあると評価する、ことを特徴とする請求項６の脈拍測定による健康状態の評価方法。
【請求項８】
前記ユーザー（Ａ）が測定した脈に関する測定値データの脈拍が、「寸（すん）」と称される、左手首の指先に近い位置の動脈に異常があるときは、心臓、小腸に問題があると評価し、
左手首の「関（かん）」と称される、前記「寸（すん）」に隣接する位置の動脈に異常があるときは、肝臓、胆のうに問題があると評価し、
左手首の「尺（しゃく）」と称される、前記「関（かん）」に隣接する位置の動脈に異常があるときは、腎臓、膀胱に問題があると評価し、
右手首の「寸（すん）」の動脈に異常があるときは、肺、大腸に問題があると評価し、
右手首の「関（かん）」の動脈に異常があるときは、脾臓、胃に問題があると評価し、
右手首の「尺（しゃく）」の動脈に異常があるときは、腎臓に近い臓器（腎臓の精気（三焦））に問題があると評価する、ことを特徴とする請求項６又は７の脈拍測定による健康状態の評価方法。
【発明の詳細な説明】
【技術分野】
【０００１】
本発明は、人の脈拍を測定して健康状態（体調）を評価する技術に係り、手首の動脈の脈拍を測定し、測定した数値データを解析することにより人の健康状態を精緻に評価する脈拍測定による健康状態評価システムとその評価方法に関する。
【背景技術】
【０００２】
従来から人の脈を測ることで健康状態を知る方法がある。人間の脈は安静時と運動時で相違し、一日の体調によっても変化する。この方法により心臓、内臓などの病気を発見することもある。脈は人間の健康状態を推測する指標になる。人間の心臓は一定のリズムで拍動を繰り返し、全身に血液を送り出している。１日に約１０万回の拍動がある。この拍動が手首などの動脈に伝わったものが脈である。拍動の源は、心臓内の洞結節から発生する電気刺激である。この刺激によって心臓の筋肉が収縮と拡張を繰り返し、拍動が生じる。
【０００３】
健康な成人の場合、安静時の脈は１分間に５０回（拍）〜１００回（拍）程度である。人間の脈は運動したり、緊張したりすると速くなり、就寝時やリラックスしているときは遅くなる。自分の脈の状態を知ることは健康管理に資するとされている。
【０００４】
人の健康状態を知るために、東洋医学では脈をとり人の体調を推測する「脈診」という方法がある。脈の変化と体調とは微妙な関係にあるためである。図１１に示すように、伝統的な東洋医学の脈診は、手首に３本の指（人差し指、中指、薬指）を当てて体調を推測する手法がある。指先が触れる場所は、測定される手首（図示では左手）を上に向けた状態でその下方位置から「尺（しゃく）」、「関（かん）」、「寸（すん）」と称される３か所である。それぞれの場所で感じる脈を、専門家の指で測定する。これを両手について測定し、両手首で６か所を測定して健康状態について専門家が判断する。専門家は、３本の指に伝わる脈のバランスや、拍動の質感などを測定して、その人の体調（健康状態）を推測する。
【０００５】
この「脈診」における人間の体調を推測する方法では、図１２（ａ）、（ｂ）、（ｃ）に示すように、手首などの皮膚の上から指を当てて動脈の状態を測定する。主に脈の「深さ」、「速さ」、「強さ」を測定する。
脈の「深さ」は、図１２（ａ）に示すように、３種の脈の取り方がある。専門家の指５１が皮膚５２に触れるか触れないかぐらいの当て方を「浮（ふ）脈」又は「浮取（ふしゅ）」と称される。やや圧力をかけて取ることを「平（へい）脈」又は「中取（ちゅうしゅ）」と称される。更に強く押しつけて取ることを「沈（ちん）脈」又は「沈取（ちんしゅ）」と称される。
【０００６】
脈の「速さ」は、図１２（ｂ）に示すように、スピードの速い脈は「数（さく）脈」と称される。遅い脈は「遅（ち）脈」と称される。これら脈の「速さ」は個人差が大きく、個々人毎に標準を決めて速い・遅いを判断する必要がある。
【０００７】
脈の「強さ」は、図１２（ｃ）に示すように、指先で脈動を強く感じるときは、強さに勢いがある脈で「実（じつ）脈」と称される。弱々しい脈は「虚（きょ）脈」と称される。この脈の「強さ」も個人差が大きく、個々人毎に標準を決めて強い弱いを判断する必要がある。
【０００８】
東洋医学の脈診では、図１１に示したように、左右の手首の動脈に人差し指・中指・薬指の３本を当てて測定する。左右の指の当たる場所で、人の内臓の健康状態、特に五臓（心臓・肝臓・脾臓・肺・腎臓）の状態を推測できるとされている。左手首の動脈は、指先に近い「寸（すん）」は心臓、小腸の状態、次の「関（かん）」は肝臓、胆のうの状態、「尺（しゃく）」は腎臓、膀胱の状態を推測できるとされている。
右手首の動脈は、指先に近い「寸（すん）」は肺、大腸の状態、「関（かん）」は脾臓、胃の状態、「尺（しゃく）」は腎臓に近い臓器（腎臓の精気（三焦））の状態をそれぞれ推測できるとされている。
【０００９】
このような手首の脈を測定するだけで、人間の五臓の健康状態を評価することができる。しかし、脈を測定するだけであるが、実際には微妙な差異を判断することは困難であり、専門家の技量に頼ることが大きい。そこで、測定装置を用いて測定する技術が提案されている。例えば、特許文献１の特開昭６３−３０５８３８号公報「脈拍計」のように、撓骨（とうこつ）動脈部を上にして前腕部を載置する腕固定台と、撓骨（とうこつ）動脈部に当接させる脈拍検出器と、前記脈拍検出器を昇降動させ、かつ、脈拍検出器に所望の押圧力を加える脈拍検出器支持台と、端部に第１の圧力センサを有し、かつ、中間に上記脈拍検出器に連通する伝達チューブを接続した第１の管路と、端部に第２の圧力センサを有し、他端に向って第２の三方切換弁と一方弁を順次設けた第２の管路と、上記第ｌと第２の管路の連結点の上流に第１の三方切換弁を介して接続したポンプと、上記第ｌ及び第２の圧力センサの出力信号の差を表示する表示部とを具備したことを特徴とする脈拍計が提案されている。
【先行技術文献】
【特許文献】
【００１０】
【特許文献１】特開昭６３−３０５８３８号公報
【発明の概要】
【発明が解決しようとする課題】
【００１１】
特許文献１に開示された脈拍計は、前腕部が固定台に載置されるため撓骨動脈部が不動となり、撓骨動脈部に当接する脈拍検出器に所望の押圧力を加えることができるため「浮」、「平」、「沈」を微妙に変化させることができるものである。これらの微妙な差異を判断し、心臓、肝臓、腎臓、肺、脾臓、腎臓の精気（三焦）の健康状態を推測できるものである。しかしながら、その測定結果について、漢方医、鍼灸師等の東洋医学に造詣の深い専門家に直接診てもらわないと正確な健康状態を評価できないという問題を有していた。
換言すれば、測定はしているが、その人の健康状態の評価については推測するものではなかった。
【００１２】
本発明の発明者は、上述したような「脈診」という東洋医学の優れた健康状態の評価方法を、漢方医、鍼灸師等の東洋医学に造詣の深い専門家に直接診てもらわなくても、脈と関連して健康状態を評価できる各種情報を予めデータベース化することで、自動的に評価、判断できることに着目した。この脈に関するデータベースを一括管理し、そのデータを多数の人が使用することで、「脈診」による評価方法を多数の人の健康状態の評価に利用できると考えた。
【００１３】
また、本発明の発明者は、脈測定器に工夫を施すことで、専門家に頼っていた微妙な脈の測定位置を容易に決めることができ、かつ脈を測定する指先の微妙な感触についてもセンサを用いて測定することで、精緻に脈を測定できると考えた。
【００１４】
本発明は、かかる問題点を解決するために創案されたものである。すなわち、本発明の目的は、漢方医、鍼灸師等の専門家が接診により行っていた「脈診」を脈測定器とデータベース解析により、精度の高い健康状態の評価をして健康管理することができ、更にこの健康状態の評価結果を、普段個人的に受けている健康診断と併せて判断し健康管理に資することができる脈拍測定による健康状態評価システムとその評価方法を提供することにある。
【課題を解決するための手段】
【００１５】
本発明の健康状態評価システムは、人の脈を測定し、この測定した数値データを解析することにより、その人の健康状態を評価する脈拍測定による健康状態評価システムであって、
健康状態の評価を受けるユーザー（Ａ）の動脈について、脈拍と血圧を測定する脈測定器（２ａ,２ｂ）と、
前記脈測定器（２ａ,２ｂ）で測定した測定値データを表示する表示部（１３）と、入力部（１４）の操作により制御される制御部（１２）と、該測定値データを健康評価管理者（Ｂ）に送信すると共に、該健康評価管理者（Ｂ）から情報を受信する送信部・受信部（１１）を有する端末機器（１）と、
前記健康評価管理者（Ｂ）が管理する、前記端末機器（１）から送信された測定値データを受信する送信部・受信部（３２）と、ユーザー（Ａ）に関する脈について過去に測定したデータを蓄積した測定値情報データベース（３６）と、健康状態が悪化した臓器と脈の測定位置との関係データを格納した健康状態情報データベース（３７）と、健康状態を評価解析する判定部（３４）を有する管理サーバ（３）と、を備え、
ユーザー（Ａ）は前記端末機器（１）から測定した脈に関する測定値データを健康評価管理者（Ｂ）へ送信し、該健康評価管理者（Ｂ）は前記管理サーバ（３）で解析した健康状態に関する評価情報を該端末機器（１）へ送信し得るように構成した、ことを特徴とする。
【００１６】
前記管理サーバ（３）における、前記測定値情報データベース（３６）は、ユーザー（Ａ）の現在の年齢、健康時の脈拍数と血圧値（最大／最小）、ユーザー（Ａ）の病歴とその罹（り）患時の年齢、その罹患時の脈拍数と血圧値（最大／最小）について測定した情報データを蓄積し、
前記健康状態情報データベース（３７）は、年齢別に健康な一般的な人の各臓器と、脈の測定位置毎の脈拍数、血圧値（最大／最小）との関係に関する情報データと、不健康なときの人の各臓器と、脈の測定位置毎の脈拍、血圧（最大／最小）との関係に関する情報データを蓄積したものである。
【００１７】
前記脈測定器（２ａ）は、
手首（ｗｒ）上で撓骨（とうこつ）動脈部（ａｒ）に巻き付けるバンド（２１）と、
該バンド（２１）に取り付けられたポンプ（２２）から給気されて膨張する空気袋（２３）と、
該空気袋（２３）に取り付けた、可撓性を有する湾曲形状の案内板（２４）と、
該案内板（２４）を介して空気袋（２３）に設けた、脈を測定する圧力センサ（２５）と、
該圧力センサ（２５）に隣接して設けた、手首（ｗｒ）の皮膚（ｓｋ）表面に当てられる前記圧力センサ（２５）の押圧力の強弱を測定する測定面強弱センサ（２７）と、を備え、
主に軽く指を当てて触れる脈である「浮（ふ）脈」と、強く圧して初めて触れる脈である「沈（ちん）脈」との差異を測定できるように構成されたものである。
【００１８】
また、前記脈測定器（２ｂ）は、
手首（ｗｒ）上で撓骨（とうこつ）動脈部（ａｒ）に対応する部分に巻き付けるバンド（２１）と、
該バンド（２１）に取り付けられたポンプ（２２）から給気されて膨張する３個の空気袋（２３）と、
各空気袋（２３）に取り付けた湾曲形状の案内板（２４）と、
各案内板（２４）を介して各空気袋（２３）に設けた、脈を測定する圧力センサ（２５）と、
各圧力センサ（２５）に隣接して設けた、手首（ｗｒ）の皮膚（ｓｋ）表面に当てられる各圧力センサ（２５）の押圧力の強弱を測定する測定面強弱センサ（２７）と、を備え、
主に手首の指先に近い位置の「寸（すん）」と、この「寸（すん）」に隣接した位置の「関（かん）」と、この「寸（すん）」に隣接した位置の「尺（しゃく）」の３か所の撓骨（とうこつ）動脈部（ａｒ）を個別に測定できるように構成されたものである。
【００１９】
前記脈測定器（２ａ、２ｂ）のバンド（２１）の表面２か所に矢印（２６）を設け、これら２か所の矢印（２６）を結ぶ線（Ｌ）上に、前記圧力センサ（２５）の中心部が位置するように表示することが好ましい。
【００２０】
本発明の健康状態評価方法は、人の脈拍を測定し、この測定した数値データを解析することにより、その人の健康状態を評価する脈拍測定による健康状態評価方法であって、
健康状態の評価を受けるユーザー（Ａ）が、自分の動脈について、脈拍と血圧を脈測定器（２ａ、２ｂ）を用いて測定し、
前記ユーザー（Ａ）が、測定した脈に関する測定値データについて、入力部（１４）の操作により制御される制御部（１２）を有する端末機器（１）を用いて健康評価管理者（Ｂ）に送信し、
前記健康評価管理者（Ｂ）が、ユーザー（Ａ）から送信された脈拍数、血圧値等の測定値データについて、管理サーバ（３）に格納された、ユーザー（Ａ）に関する脈について過去に測定したデータを蓄積した測定値情報データベース（３６）と、健康状態が悪化した臓器と脈の測定位置との関係データを格納した健康状態情報データベース（３７）とを判定部３４で比較して、そのユーザー（Ａ）の健康状態について評価解析し、
前記健康評価管理者（Ｂ）が、その健康状態の解析結果をユーザー（Ａ）の端末機器（１）へ送信する、ことを特徴とする。
【００２１】
前記ユーザー（Ａ）が測定した脈に関する測定値データの脈拍が、「数（さく）脈」と称される９０拍／分以上の脈であるときは、血流が速くなる状態であり、基礎代謝が増加している状態を意味し、発熱疾患、精神緊張、甲状腺機能亢進症、脱水等の一般感染症の疑いがあると評価し、
測定値データの脈拍が、「遅（ち）脈」と称される６０拍／分以下の脈であるときは、血流がゆっくりした状態であり、基礎代謝が低下している状態を意味し、甲状腺機能低下症、低体温症等の疑いがあると評価する、ことができる。
【００２２】
前記ユーザー（Ａ）が測定した脈に関する測定値データの脈拍が、「寸（すん）」と称される、左手首の指先に近い位置の動脈に異常があるときは、心臓、小腸に問題があると評価し、
左手首の「関（かん）」と称される、前記「寸（すん）」に隣接する位置の動脈に異常があるときは、肝臓、胆のうに問題があると評価し、
左手首の「尺（しゃく）」と称される、前記「関（かん）」に隣接する位置の動脈に異常があるときは、腎臓、膀胱に問題があると評価し、
右手首の「寸（すん）」の動脈に異常があるときは、肺、大腸に問題があると評価し、
右手首の「関（かん）」の動脈に異常があるときは、脾臓、胃に問題があると評価し、
右手首の「尺（しゃく）」の動脈に異常があるときは、腎臓に近い臓器（腎臓の精気（三焦））に問題があると評価する、ことができる。
【発明の効果】
【００２３】
上記構成の健康状態評価システムとその評価方法では、ユーザー（Ａ）は測定した脈に関する測定値データを端末機器（１）から健康評価管理者（Ｂ）へ送信し、受信した健康評価管理者（Ｂ）は管理サーバ（３）で解析した健康状態に関する評価情報を端末機器（１）へ送信する構成であるため、従来は専門家の技能を必要とした脈診について、専門家に訪問することなく、多数の人が健康状態について評価してもらえる。ユーザー（Ａ）は自宅等の室内で自分の手首の脈を測定するだけで、健康状態について評価してもらえる。
本発明の健康状態評価システムとその評価方法では、この評価結果と個別の人間ドック等による健康診断の結果と併せて緻密に健康状態（体調）を知ることができる。
【００２４】
また、本発明の健康状態評価システムとその評価方法では、動脈について単に脈拍と血圧だけを測定するのではなく、脈の「深さ」、「速さ」、「強さ」、「位置」を測定することにより、詳細に健康状態を知ることができる。また、左右の手首の動脈に人差し指・中指・薬指の３本を当てて測定することで、左右の指の当たる場所で、人の内臓の健康状態、特に五臓（心臓・肝臓・脾臓・肺・腎臓）の状態を推測できる。左手首の動脈は、「寸（すん）」は心臓の状態、次の「関（かん）」は肝臓の状態、「尺（しゃく）」は腎臓の状態を推測できるとされている。右手首の動脈は、指先に近い「寸（すん）」は肺の状態、「関（かん）」は脾臓の状態、「尺（しゃく）」は腎臓に近い臓器（腎臓の精気（三焦））の状態をそれぞれ詳細に推測できる。
【００２５】
更に、本発明は遠隔地から健康評価管理者（Ｂ）との送受信によりその人の健康状態を知ることができる。そこで、災害地において被災した人について、緊急性を要するか、緊急性を要さないかの判断を健康状態評価システム・評価方法を利用すれば容易に判断することができる。例えば、被災した人の腕の脈を測定し、その測定値データを端末機器（１）を用いて健康評価管理者（Ｂ）へ送信し、健康状態の評価を受けることで救出を急ぐ人かの判断をすることができ多くの人命の救済になる。
【図面の簡単な説明】
【００２６】
【図１】本発明の脈拍測定による健康状態評価システムを説明する概略構成図である。
【図２】巻付け型の脈測定器の一例を示し、（ａ）は正面図、（ｂ）は側断面図である。
【図３】脈測定器の測定面強弱センサによるバンドの締め付け力を調整する制御状況を説明するフロー図である。
【図４】複数の圧力センサを有する個別型の脈測定器を示し、（ａ）は正面図、（ｂ）は側断面図である。
【図５】脈拍測定による健康状態評価システムの構成を示すブロック図である。
【図６】測定値情報データベースの具体的な構成を示すブロック図である。
【図７】健康状態情報データベースの具体的な構成を示すブロック図である。
【図８】本発明の脈拍測定による健康状態評価システムを用いて健康状態を評価する作業手順を示す作業フロー図である。
【図９】「数（さく）脈」、「遅（ち）脈」の解析処理方法を説明するフロー図である。
【図１０】手首の「寸（すん）」、「関（かん）」、「尺（しゃく）」を示す概略説明図である。
【図１１】東洋医学における左手首の動脈に人差し指・中指・薬指の３本を当てて測定する脈診の測定方法を示す概略説明図である。
【図１２】東洋医学における、皮膚の上から指を当てて動脈を測定する脈診を示す概略説明図であり、（ａ）は脈の「深さ」、（ｂ）は脈の「速さ」、（ｃ）は脈の「強さ」を測定する状態である。
【発明を実施するための形態】
【００２７】
本発明の脈拍測定による健康状態評価システムは、人の手首の脈拍を測定し、この測定した数値データを解析することにより、その人の健康状態（体調）を評価するシステムである。
【実施例１】
【００２８】
以下、本発明の好ましい実施の形態を図面を参照して説明する。
＜健康状態評価システムの構成＞
図１は本発明の脈拍測定による健康状態評価システムを説明する概略構成図である。
本発明の脈拍測定による健康状態評価システムは、健康状態（体調）の評価を受けるユーザーＡが所有するスマートフォン、タブレット、パソコン等の端末機器１と、手首の脈に関する種々の状態を測定する脈測定器２ａ，２ｂと、ユーザーＡの測定値データに基づいて脈に関連して健康状態を評価する健康評価管理者Ｂが運営する管理サーバ３とから構成されるシステムである。この健康評価管理者Ｂは医師自体、又は医師が所属する管理者である。特に、漢方医、鍼灸師等の東洋医学に造詣の深い専門家の所属が望ましい。
【００２９】
脈診により自己の健康状態を知りたいユーザーＡは、脈測定器２ａ，２ｂを用いて自己の脈（脈拍、血圧）を測定する。ユーザーＡは、その測定値を端末機器１からインターネット４に接続して、健康評価管理者Ｂに送信する。
測定値を受信した健康評価管理者Ｂは、その測定値と、予め蓄積されているユーザーＡの年齢、性別等の身体、健康状態に関連する情報と共に、過去の測定値データ、一般的な良好な健康状態の脈拍数、血圧値、良好でないときの健康状態の脈拍数、血圧値等を参照して、管理サーバ３で解析処理する。その解析結果であるユーザーＡの現在の健康状態について、健康評価管理者Ｂはインターネット４に接続してユーザーＡの端末機器１に返信する。
ユーザーＡはその端末機器１の表示部１３に表示された健康状態の評価に関する情報を確認して体調、又は症状について知ることができる。図１では１名の健康評価管理者Ｂと３名のユーザーＡを示したが、ユーザーＡは３名に限定されず、多数であることは勿論である。
【００３０】
＜脈測定器の構成＞
図２は巻付け型の脈測定器の基本的な形態を示し、（ａ）は正面図、（ｂ）は側断面図である。
ユーザーＡが自分の手首ｗｒの脈を測定するときは、例えば図２に示すような巻付け型の脈測定器２ａを用いる。この脈測定器２ａは、例えば手首ｗｒの撓骨（とうこつ）動脈部ａｒに巻き付けるバンド２１と、このバンド２１に一体的に取り付けたポンプ２２から給気されて膨張する空気袋２３と、この空気袋２３に取り付けた、可撓性を有する湾曲形状の案内板２４と、この案内板２４を介して空気袋２３に当接自在に配設した脈拍、血圧を測定する圧力センサ２５とから成る測定器である。この圧力センサ２５は、表示回路などに連結して表示部に測定値（脈拍数、血圧値）を表示する。更に信号を飛ばして端末機器１であるスマートフォン、タブレット、パソコン等のモニター画面等の表示部１３に表示する。この段階で、ユーザーＡは自分の脈拍数、血圧値が良好でないことをある程度は推測することができる。
【００３１】
巻付け型の脈測定器２ａには、位置決めとして機能する矢印２６がバンド２１の表面に２カ所記されている。これらの２か所の矢印２６を結ぶ線上Ｌは、圧力センサ２５の中心点を通るようになっている。手首ｗｒの撓骨（とうこつ）動脈部ａｒに、この圧力センサ２５が適切な位置に当て、その脈拍数と血圧値を正確に測定するためである。即ち、この矢印２６により、素人でも専門家と同じように動脈について、その適切な位置を測定できるようになる。
【００３２】
図３は脈測定器の測定面強弱センサによるバンドの締め付け力を調整する制御状況を説明するフロー図である。
本発明の巻付け型の脈測定器２ａには、手首の皮膚ｓｋ表面と押圧力の強弱を測定する測定面強弱センサ２７を備えている。この測定面強弱センサ２７は、脈測定器２ａに備えられたマイコン２８により制御される。圧力センサ２５は脈拍を測定するセンサである。この測定面強弱センサ２７は、圧力センサ２５が手首ｗｒの皮膚ｓｋ表面に接している状態、接している圧力を測定するセンサである。手首ｗｒに巻き付けているバンド２１の締め付け力を空気袋２３の空気充填度の調整により行うときのセンサになる。
【００３３】
図１２（ｃ）に示したように、脈は、取り方によって微妙に異なる。「浮（ふ）脈」又は「浮取（ふしゅ）」のように指が皮膚ｓｋに触れるか触れないかぐらいの当て方でも、脈を測定できるときは、空気袋２３の給気を少なくしてバンド２１の手首への締め付けを弱い状態にする。その締め付けの強弱をこの測定面強弱センサ２７により測定し、マイコン２８は空気袋２３の給気を少なくするコマンドを送る。
逆に、「沈（ちん）脈」又は「沈取（ちんしゅ）」のように、バンド２１の手首ｗｒへ強く押しつける必要があるときは、空気袋２３の空気の供給を増量する。この手首ｗｒの締め付け状態を測定する人に応じて微妙に可変できるようになっている。測定面強弱センサ２７により測定し、マイコン２８は空気袋２３の給気を多くするコマンドを送る。これらの空気袋２３への給気の可変をこの測定面強弱センサ２７とマイコン２８で制御するようになっている。
【００３４】
また、人の脈に関して、その測定する年齢、性別、体質、精神状態、環境などによって、生理的な範囲での脈象の変化は生じる。例えば、年齢は低いほど速く、若い男性は力強く、年を取れば弱く、気分が高揚すれば強く、空腹時には弱いといった具合に変化する。更に、このような測定の対象者、四季の変化の影響も受けるので、脈測定器２ａについては、このような微妙な変化を上述したマイコン２８で微調整する。
【００３５】
なお、圧力センサ２５に代えて脈波センサ（図示せず）を用いることができる。この脈波センサは光を発するＬＥＤと、血管の容積変化に伴い変化する光の吸収量を測定する光検出器からなるセンサである。また、脈測定器２ａは、図示例の巻付け型のバンド２１の構成に限定されず、手首ｗｒへの締め付け状態を可変できる構成であれば、種々の形態の構成ものを利用することができる。
【００３６】
＜複数の圧力センサを有する個別型脈測定器の構成＞
図４は複数の圧力センサを有する個別型の脈測定器を示し、（ａ）は正面図、（ｂ）は側断面図である。なお、巻付け型の脈測定器２ａと同じ機能を有する部材は同じ符号を用いて説明する。
図４に示す個別型脈測定器２ｂは、複数の圧力センサを有する脈測定器の変形例である。図示するように、手首ｗｒの指先に近い位置「寸（すん）」を、この「寸（すん）」に隣接して「関（かん）」を、この「関（かん）」に隣接して「尺（しゃく）」の３か所の撓骨（とうこつ）動脈部ａｒを個別に測定できるように、３組の圧力センサ２５をバンド２１に取り付けている。１枚のバンド２１に３個の空気袋２３と、各空気袋２３に取付けた、可撓性を有する湾曲形状の案内板２４と、各案内板２４を介して空気袋２３に各圧力センサ２５を設けている。更に、各圧力センサ２５に隣接して測定面強弱センサ２７を設けている。
なお、このような３組の圧力センサ２５を１枚のバンド２１に取り付けた例を図示している。３組の圧力センサ２５は必ずしも１枚のバンド２１に取り付ける必要はなく、３枚のバンド２１にそれぞれ取り付ける構成でも良い。
【００３７】
図４に示す個別型脈測定器２ｂについても、各測定面強弱センサ２７により測定し、マイコン２８で各空気袋２３の給気を多くし、逆に少なくするコマンドを送る。各空気袋２３の給気の可変をこの測定面強弱センサ２７とマイコン２８で制御することで、各測定箇所の締め付け力をここに調整することができる。そこで、この個別型脈測定器２ｂは微妙な脈の変化を測定できるようになる。
【００３８】
個別型脈測定器２ｂについても、矢印２６がバンド２１の表面に２カ所設けられている。手首の撓骨（とうこつ）動脈部ａｒに、各圧力センサ２５が適切な位置に当て、その脈拍数と血圧値を正確に測定するためである。個別型脈測定器２ｂでは、後述する「寸（すん）」、「関（かん）」、「尺（しゃく）」の３か所の動脈を正確に測定できるようにするためである。また、「寸（すん）」、「関（かん）」、「尺（しゃく）」は左手首に限らず、右手首の動脈を測定するときに適切な位置に圧力センサ２５を当てるためである。
【００３９】
図５は脈拍測定による健康状態評価システムの構成を示すブロック図である。図６は測定値情報データベースの具体的な構成を示すブロック図である。図７は健康状態情報データベースの具体的な構成を示すブロック図である。
端末機器１は、主に健康評価管理者Ｂの管理サーバ３との間で通信する送信部・受信部１１を有し、ＣＰＵなどの制御部１２を備えたスマートフォン、タブレット、パソコン等の機器である。端末機器１は、脈測定器２ａ又は個別型脈測定器２ｂで測定したユーザーＡの脈拍、血圧、更には必要に応じて体温等の測定値について管理サーバ３と送受信する。この端末機器１のモニター画面は、測定値を表示し、その解析結果である健康状態、体調の状態等を表示する表示部１３として機能する。なお、この端末機器１のモニター画面（表示部１３）には、ユーザーＡが測定した脈拍数、血圧値、体温等の測定値を表示することもできる。ユーザーＡは測定した数値に確認し、ある程度異常があるか否かを知ることもできる。
また、端末機器１のモニター画面（表示部１３）がタッチパネルのときは、そのまま数値、アドレス等を入力する入力部１４として機能する。キーボード、操作ボタンがあるときはこれが入力部１４となる。
【００４０】
また、端末機器１にＧＰＳ（ｇｒｏｂａｌ  ｐｏｓｉｔｉｏｎｉｎｇ  ｓｙｓｔｅｍ）機能を搭載しているときは、測定位置を特定でき、災害時に本発明の健康状態評価システムを用いるときに適している。その健康状態を知りたいユーザーＡが緊急性を有する状況か否かを管理サーバ３が判断し、緊急性を有する状況のときはそのまま救急車等の出動の契機を発信することができる。ＧＰＳは位置情報についても発信することが可能になる。
【００４１】
また、端末機器１が、図示していないが、脈波センサ（光電式脈波センサ）を内蔵したスマートフォンの場合は、上述した脈測定器２ａ又は個別型脈測定器２ｂを用いることなく、簡易に測定することができる。脈波センサの脈波とは、心臓が血液を送り出すことに伴い発生する、血管の容積変化をいう。体表面に脈波センサを接触させることで、脈拍などの測定ができるものである。特に、災害地において、緊急性を有する状況か否かを判断したいときに適している。
【００４２】
＜管理サーバの構成＞
脈拍測定による健康状態を評価する健康評価管理者Ｂには、管理サーバ３が備えられている。この管理サーバ３は、図５に示すように、例えばＣＰＵなどの情報処理部３１によって構成され、送信部・受信部３２、入力部３３、判定部３４、表示部３５とから成る。健康状態の評価を受けるユーザーＡの健康状態に関連する情報、過去の脈に関する測定値データを格納する測定値情報データベース３６と、脈の可変因子と健康状態に関する健康状態情報を格納する健康状態情報データベース３７とを有する。
【００４３】
ユーザーＡに関する測定値情報データベース３６は、図６に示すように、ユーザーＡの現在の年齢、性別、健康時の脈拍数と血圧値（最大／最小）、ユーザーＡの病歴とその罹（り）患時の年齢、その罹患時の脈拍数と血圧値（最大／最小）について測定した情報データを蓄積したデータベースである。脈拍数は年齢に比例して変化するものであるため、若い人であれば、正常な数値が高齢者であると異常な数値になることがある。現在の年齢は重要な因子になる。また、健康時の脈拍数と血圧値（最大／最小）は、人それぞれ微妙に異なるため、これらも重要な基礎データとなる。
【００４４】
ユーザーＡの病歴の情報が重要な因子になる理由は、脈の異常がそのまま持病に直結することが多いからである。その罹（り）患時の年齢、その罹患時の脈拍数と血圧値（最大／最小）がデータとして重要になる。健康時の脈拍数と血圧値（最大／最小）と罹（り）患時のそれとを比較すれば容易に現在の状態が健康か否かを判定しやすくなる。
【００４５】
健康状態情報データベース３７は、図７に示すように、年齢別に健康な一般的な人の各臓器と、脈の測定位置毎の脈拍数、血圧値（最大／最小）との関係に関する情報データと、不健康なときの人の各臓器と、脈の測定位置毎の脈拍、血圧（最大／最小）との関係に関する情報データを蓄積したデータベースである。ユーザーＡに病歴がないときは比較対象の情報データがない。そこで、健康な一般的な人の各臓器と、脈の測定位置毎の脈拍数、血圧値（最大／最小）と、不健康なときの脈拍数、血圧値（最大／最小）を比較し、ユーザーＡの測定値に基づいて健康か否かを判定、推測する。
【００４６】
管理サーバ３の判定部３４は、端末機器１から脈測定器２ａ、２ｂで測定した脈に関する測定値等を受信し、そのユーザーＡに関する事項と測定値等の比較条件が成立した場合に、測定値情報データベース３６と健康状態情報データベース３７に格納されたデータと、測定された測定値と比較し、健康状態について判定、推測する。
この判定部３４では、後述するような表１から表５に示すような、測定値等の数値からそのユーザーＡが現在どのような状況、体調、病気の状況等の健康状態を評価し、推測する。
【００４７】
図８は本発明の脈拍測定による健康状態評価システムを用いて健康状態を評価する作業手順を示す作業フロー図である。
本発明の脈拍測定による健康状態評価システムを用いて健康状態を評価する作業手順について説明する。
（１）ユーザーの登録段階  
先ず、健康状態の評価を受けるユーザーＡは、健康評価管理者Ｂの管理サーバ３にアクセスする。ユーザーＡは、管理サーバ３の測定値情報データベース３６に、ユーザーＡの現在の年齢、性別、健康時の脈拍数と血圧値（最大／最小）、ユーザーＡの病歴とその罹（り）患時の年齢、その罹患時の脈拍数と血圧値（最大／最小）について測定した情報を予め蓄積しておく。
（２）ユーザーの測定段階  
ユーザーＡが自分の健康状態について知りたとき、又は所定期間毎にユーザーＡは、自分の手首の橈骨（とうこつ）動脈部ａｒ等の数ヵ所について、脈拍と血圧を脈測定器２ａ、２ｂを用いて測定する。必要に応じて体温を測定する。これらの測定値をスマートフォン等の端末機器１を用いて健康評価管理者Ｂの管理サーバ３に送信する。
（３）健康評価管理者の評価判定段階
健康評価管理者Ｂの管理サーバ３では、ユーザーＡから送信された脈拍数、血圧等の測定値データについて、管理サーバ３に格納された、ユーザーＡに関する脈について過去に測定したデータ等を蓄積した測定値情報データベース３６と、健康状態が悪化した臓器と脈の測定位置との関係データ等を格納した健康状態情報データベース３７とを判定部３４で比較して、そのユーザーＡの健康状態について評価解析する。この評価情報について健康評価管理者Ｂの管理サーバ３からユーザーＡの端末機器１に送信する。
ユーザーＡは、端末機器１の表示部１３に表示された評価情報を確認して自分の健康状態について確認する。このようにユーザーＡは遠隔地でも専門家の健康状態に関する評価を受けることができる。
【００４８】
＜解析例１「浮（ふ）脈」、「沈（ちん）脈」＞
次に、本発明の脈拍測定による健康状態評価システムを用いて健康状態を評価する具体的な評価作業を説明する。なお、表１から表５は、一例であって脈診には数十種類の健康評価ができるので、これらのものに限定されないことは勿論である。
健康評価管理者Ｂの管理サーバ３の判定部３４は、ユーザーＡから送信された脈の測定値が、例えば「浮（ふ）脈」又は「沈（ちん）脈」の場合は、表１に示すように解析する。浮（ふ）脈は軽く指を当てて触れる脈である。これは、血管が緩んだ状態、即ち末梢血管拡張状態であり、病が表面にあることを意味する。健康状態として体熱を放散する目的があり、「風邪」のおそれがあること意味する。その対処方法を提案する。
【００４９】
【表１】
2020074940.tif 000003
【００５０】
他方、「沈（ちん）脈」は強く圧して初めて触れる脈である。これは血管が緊張した状態、即ち末梢循環収縮状態であり、多くは冷えによるものであると考えられる。その対処方法として体熱を逃がさないようにすることを提案する。
なお、「平（へい）」は浮脈でも沈脈でもないため、健康状態は良好であることを意味する。
【００５１】
＜解析例２「数（さく）脈」、「遅（ち）脈」＞
図９は「数（さく）脈」、「遅（ち）脈」の解析処理方法を説明するフロー図である。
管理サーバ３の判定部３４は、図示するように、ユーザーＡから送信された脈の測定結果が、９０拍/分以上の脈のときは、「数（さく）脈」と判断する。６０拍/分以下のときは、「遅（ち）脈」と判断する。それ以外のときは「平（へい））脈」と判断する。その「数（さく）脈」又は「遅（ち）脈」の場合は、表２に示すように解析する。
【００５２】
【表２】
2020074940.tif 000004
【００５３】
「数（さく）脈」の９０拍/分以上の脈は、血流が速くなる状態であり、基礎代謝増加している状態を意味する。例えば、発熱疾患、精神緊張、甲状腺機能亢進症、脱水等の一般感染症の疑いがあることを意味する。その対処方法として体熱を冷ますことを提案する。
【００５４】
他方、「遅（ち）脈」の６０拍/分以下の脈は、血流がゆっくりになる状態であり、基礎代謝が低下している状態を意味する。例えば、甲状腺機能低下症、低体温症の疑いがあることを意味する。
【００５５】
「遅（ち）脈」の場合は、一般的にはまず心疾患（房室ブロック）が考えられる。心臓に異常がなければ、甲状腺機能低下症（基礎代謝低下による徐脈）などの内分泌疾患が考えられる。更には、血虚（血液量不足）または腎虚（精力不足）の状態を推定する。
「平（へい））脈」のときは、健康状態は良好であると推測する。
【００５６】
＜解析例３「実（じつ）脈」、「虚（きょ）脈」＞
管理サーバ３の判定部３４は、ユーザーＡから送信された脈の測定結果が、例えば「実（じつ）脈」又は「虚（きょ）脈」の場合は、表３に示すように解析する。「実（じつ）脈」は血液が血管に充満して圧力をかけている脈である。例えば、高血圧、動脈硬化状態。心拍出量増大の疑いがあることを意味する。
【００５７】
【表３】
2020074940.tif 000005
【００５８】
「虚（きょ）脈」は明らかに力のない脈で、浮中沈ともあまり触れない脈である。血液が血管をかろうじて満たしている状況で、圧力に乏しいである。低血圧状態を意味する。更には生命力が低下している状態を意味する。
【００５９】
＜解析例４「寸（すん）」、「関（かん）」、「尺（しゃく）」＞
図１０は手首の「寸（すん）」、「関（かん）」、「尺（しゃく）」を示す概略説明図である。
管理サーバ３の判定部３４は、ユーザーＡから送信された脈の測定結果が、更に、「寸（すん）」、「関（かん）」、「尺（しゃく）」により異なる場合は、表４と表５に示すように解析する。図１１に示したように、左右の指の当たる場所で、人の内臓の健康状態、特に五臓（心臓・肝臓・脾臓・肺・腎臓）の状態を推測できるとされている。
左手の動脈は、表４に示すように、指先に近い「寸（すん）」は心臓、小腸の状態、次の「関（かん）」は肝臓、胆のうの状態、「尺（しゃく）」は腎臓、膀胱の状態を推測できるとされている。
右手の動脈は、表５に示すように、指先に近い方「寸（すん）」は肺、大腸の状態、「関（かん）」は脾臓、胃の状態、「尺（しゃく）」は腎臓に近い臓器（腎臓の精気（三焦））の状態をそれぞれ推測できるとされている。
【００６０】
【表４】
2020074940.tif 000006
【００６１】
【表５】
2020074940.tif 000007
【００６２】
人間の内臓は、横隔膜より上方の胸部には肺と心臓があり、体幹の真ん中、腹部の上方には胃、脾臓と肝臓があり、腹の下部には腎臓が配置されている。これらを脈に当てはめると、左右の別はあるが、手の指先に近い方を上方としたら、そこは、心臓と肺が対応する。真ん中の場所が脾臓、胃と肝臓が対応する。腹部の下部、つまり肘に近いところは腎臓と三焦に対応する。この三焦とは、脈を測定する指は３本と３本、対応するのが五臓では１つ足りない。そこで、バランスをよくするために漢方的な器官が三焦である。腎臓は左右、２個あるので左が腎臓で、右が三焦であるとされている。腎臓の精気、熱エネルギーの部分を表しているとされている。
【００６３】
これらの左手の「寸（すん）」、「関（かん）」、「尺（しゃく）」と右手の「寸（すん）」、「関（かん）」、「尺（しゃく）」の臓器の位置と、上述した「浮（ふ）脈」、「沈（ちん）脈」の状態の解析結果を組み合わせることにより、その脈に関する測定値を判定する。その結果精度の高い健康状態の評価を判断することができる。
【００６４】
なお、本発明は、漢方医、鍼灸師等の専門家が接診により行っていた「脈診」を脈測定器とデータベース解析により、精度の高い健康状態の評価をして健康管理することができ、更にこの健康状態の評価結果を、普段個人的に受けている健康診断と併せて判断し健康管理に資することができる構成であれば、上述した発明の実施の形態に限定されず、本発明の要旨を逸脱しない範囲で種々変更できることは勿論である。
【産業上の利用可能性】
【００６５】
本発明の脈拍測定による健康状態評価システムおよびその評価方法は、個人的に健康状態の評価に利用できるだけでなく、災害地において被災した人について、緊急性を要するか否かの判断に利用することができる。
【符号の説明】
【００６６】
１  端末機器
１１  端末機器の送信部・受信部
１２  端末機器の制御部
１３  端末機器の表示部
１４  端末機器の入力部
２ａ  脈測定器（基本型脈測定器）
２ｂ  脈測定器（個別型脈測定器）
２１  バンド
２２  ポンプ
２３  空気袋
２４  案内板
２５  圧力センサ
２６  矢印
２７  測定面強弱センサ
３  管理サーバ
３２  管理サーバの送信部・受信部
３４  管理サーバの判定部
３６  測定値情報データベース
３７  健康状態情報データベース
Ａ  ユーザー
Ｂ  健康評価管理者
ｗｒ  手首
ａｒ  撓骨（とうこつ）動脈部
ｓｋ  皮膚
Ｌ  矢印を結ぶ線
【図１】
2020074940.tif 000008
【図２】
2020074940.tif 000009
【図３】
2020074940.tif 000010
【図４】
2020074940.tif 000011
【図５】
2020074940.tif 000012
【図６】
2020074940.tif 000013
【図７】
2020074940.tif 000014
【図８】
2020074940.tif 000015
【図９】
2020074940.tif 000016
【図１０】
2020074940.tif 000017
【図１１】
2020074940.tif 000018
【図１２】
2020074940.tif 000019
【手続補正書】
【提出日】平成30年12月19日(2018.12.19)
【手続補正１】
【補正対象書類名】明細書
【補正対象項目名】全文
【補正方法】変更
【補正の内容】
【発明の詳細な説明】
【技術分野】
【０００１】
本発明は、人の脈拍を測定して健康状態（体調）を評価する技術に係り、手首の動脈の脈拍を測定し、測定した数値データを解析することにより人の健康状態を精緻に評価する脈拍測定による健康状態評価システムとその作動方法に関する。
【背景技術】
【０００２】
従来から人の脈を測ることで健康状態を知る方法がある。人間の脈は安静時と運動時で相違し、一日の体調によっても変化する。この方法により心臓、内臓などの病気を発見することもある。脈は人間の健康状態を推測する指標になる。人間の心臓は一定のリズムで拍動を繰り返し、全身に血液を送り出している。１日に約１０万回の拍動がある。この拍動が手首などの動脈に伝わったものが脈である。拍動の源は、心臓内の洞結節から発生する電気刺激である。この刺激によって心臓の筋肉が収縮と拡張を繰り返し、拍動が生じる。
【０００３】
健康な成人の場合、安静時の脈は１分間に５０回（拍）〜１００回（拍）程度である。人間の脈は運動したり、緊張したりすると速くなり、就寝時やリラックスしているときは遅くなる。自分の脈の状態を知ることは健康管理に資するとされている。
【０００４】
人の健康状態を知るために、東洋医学では脈をとり人の体調を推測する「脈診」という方法がある。脈の変化と体調とは微妙な関係にあるためである。図１１に示すように、伝統的な東洋医学の脈診は、手首に３本の指（人差し指、中指、薬指）を当てて体調を推測する手法がある。指先が触れる場所は、測定される手首（図示では左手）を上に向けた状態でその下方位置から「尺（しゃく）」、「関（かん）」、「寸（すん）」と称される３か所である。それぞれの場所で感じる脈を、専門家の指で測定する。これを両手について測定し、両手首で６か所を測定して健康状態について専門家が判断する。専門家は、３本の指に伝わる脈のバランスや、拍動の質感などを測定して、その人の体調（健康状態）を推測する。
【０００５】
この「脈診」における人間の体調を推測する方法では、図１２（ａ）、（ｂ）、（ｃ）に示すように、手首などの皮膚の上から指を当てて動脈の状態を測定する。主に脈の「深さ」、「速さ」、「強さ」を測定する。
脈の「深さ」は、図１２（ａ）に示すように、３種の脈の取り方がある。専門家の指５１が皮膚５２に触れるか触れないかぐらいの当て方を「浮（ふ）脈」又は「浮取（ふしゅ）」と称される。やや圧力をかけて取ることを「平（へい）脈」又は「中取（ちゅうしゅ）」と称される。更に強く押しつけて取ることを「沈（ちん）脈」又は「沈取（ちんしゅ）」と称される。
【０００６】
脈の「速さ」は、図１２（ｂ）に示すように、スピードの速い脈は「数（さく）脈」と称される。遅い脈は「遅（ち）脈」と称される。これら脈の「速さ」は個人差が大きく、個々人毎に標準を決めて速い・遅いを判断する必要がある。
【０００７】
脈の「強さ」は、図１２（ｃ）に示すように、指先で脈動を強く感じるときは、強さに勢いがある脈で「実（じつ）脈」と称される。弱々しい脈は「虚（きょ）脈」と称される。この脈の「強さ」も個人差が大きく、個々人毎に標準を決めて強い弱いを判断する必要がある。
【０００８】
東洋医学の脈診では、図１１に示したように、左右の手首の動脈に人差し指・中指・薬指の３本を当てて測定する。左右の指の当たる場所で、人の内臓の健康状態、特に五臓（心臓・肝臓・脾臓・肺・腎臓）の状態を推測できるとされている。左手首の動脈は、指先に近い「寸（すん）」は心臓、小腸の状態、次の「関（かん）」は肝臓、胆のうの状態、「尺（しゃく）」は腎臓、膀胱の状態を推測できるとされている。
右手首の動脈は、指先に近い「寸（すん）」は肺、大腸の状態、「関（かん）」は脾臓、胃の状態、「尺（しゃく）」は腎臓に近い臓器（腎臓の精気（三焦））の状態をそれぞれ推測できるとされている。
【０００９】
このような手首の脈を測定するだけで、人間の五臓の健康状態を評価することができる。しかし、脈を測定するだけであるが、実際には微妙な差異を判断することは困難であり、専門家の技量に頼ることが大きい。そこで、測定装置を用いて測定する技術が提案されている。例えば、特許文献１の特開昭６３−３０５８３８号公報「脈拍計」のように、撓骨（とうこつ）動脈部を上にして前腕部を載置する腕固定台と、撓骨（とうこつ）動脈部に当接させる脈拍検出器と、前記脈拍検出器を昇降動させ、かつ、脈拍検出器に所望の押圧力を加える脈拍検出器支持台と、端部に第１の圧力センサを有し、かつ、中間に上記脈拍検出器に連通する伝達チューブを接続した第１の管路と、端部に第２の圧力センサを有し、他端に向って第２の三方切換弁と一方弁を順次設けた第２の管路と、上記第ｌと第２の管路の連結点の上流に第１の三方切換弁を介して接続したポンプと、上記第ｌ及び第２の圧力センサの出力信号の差を表示する表示部とを具備したことを特徴とする脈拍計が提案されている。
【先行技術文献】
【特許文献】
【００１０】
【特許文献１】特開昭６３−３０５８３８号公報
【発明の概要】
【発明が解決しようとする課題】
【００１１】
特許文献１に開示された脈拍計は、前腕部が固定台に載置されるため撓骨動脈部が不動となり、撓骨動脈部に当接する脈拍検出器に所望の押圧力を加えることができるため「浮」、「平」、「沈」を微妙に変化させることができるものである。これらの微妙な差異を判断し、心臓、肝臓、腎臓、肺、脾臓、腎臓の精気（三焦）の健康状態を推測できるものである。しかしながら、その測定結果について、漢方医、鍼灸師等の東洋医学に造詣の深い専門家に直接診てもらわないと正確な健康状態を評価できないという問題を有していた。
換言すれば、測定はしているが、その人の健康状態の評価については推測するものではなかった。
【００１２】
本発明の発明者は、上述したような「脈診」という東洋医学の優れた健康状態の評価方法を、漢方医、鍼灸師等の東洋医学に造詣の深い専門家に直接診てもらわなくても、脈と関連して健康状態を評価できる各種情報を予めデータベース化することで、自動的に評価、判断できることに着目した。この脈に関するデータベースを一括管理し、そのデータを多数の人が使用することで、「脈診」による評価方法を多数の人の健康状態の評価に利用できると考えた。
【００１３】
また、本発明の発明者は、脈測定器に工夫を施すことで、専門家に頼っていた微妙な脈の測定位置を容易に決めることができ、かつ脈を測定する指先の微妙な感触についてもセンサを用いて測定することで、精緻に脈を測定できると考えた。
【００１４】
本発明は、かかる問題点を解決するために創案されたものである。すなわち、本発明の目的は、漢方医、鍼灸師等の専門家が接診により行っていた「脈診」を脈測定器とデータベース解析により、精度の高い健康状態の評価をして健康管理することができ、更にこの健康状態の評価結果を、普段個人的に受けている健康診断と併せて判断し健康管理に資することができる脈拍測定による健康状態評価システムとその作動方法を提供することにある。
【課題を解決するための手段】
【００１５】
本発明の健康状態評価システムは、人の脈を測定し、この測定した数値データを解析することにより、その人の健康状態を評価する脈拍測定による健康状態評価システムであって、
健康状態の評価を受けるユーザー（Ａ）の動脈について、脈拍と血圧を測定する脈測定器（２ｂ）と、
前記脈測定器（２ｂ）で測定した測定値データを表示する表示部（１３）と、入力部（１４）の操作により制御される制御部（１２）と、該測定値データを健康評価管理者（Ｂ）に送信すると共に、該健康評価管理者（Ｂ）から情報を受信する送信部・受信部（１１）を有する端末機器（１）と、
前記健康評価管理者（Ｂ）が管理する、前記端末機器（１）から送信された測定値データを受信する送信部・受信部（３２）と、ユーザー（Ａ）に関する脈について過去に測定したデータを蓄積した測定値情報データベース（３６）と、健康状態が悪化した臓器と脈の測定位置との関係データを格納した健康状態情報データベース（３７）と、健康状態を評価解析する判定部（３４）を有する管理サーバ（３）と、を備え、
ユーザー（Ａ）は前記端末機器（１）から測定した脈に関する測定値データを健康評価管理者（Ｂ）へ送信し、該健康評価管理者（Ｂ）は前記管理サーバ（３）で解析した健康状態に関する評価情報を該端末機器（１）へ送信し得るように構成し、
更に、前記脈測定器（２ｂ）は、
手首（ｗｒ）上で撓骨（とうこつ）動脈部（ａｒ）に対応する部分に巻き付けるバンド（２１）と、
該バンド（２１）に取り付けられたポンプ（２２）から給気されて膨張する３個の空気袋（２３）と、
各空気袋（２３）に取り付けた湾曲形状の案内板（２４）と、
各案内板（２４）を介して各空気袋（２３）に設けた、脈を測定する圧力センサ（２５）と、
各圧力センサ（２５）に隣接して設けた、手首（ｗｒ）の皮膚（ｓｋ）表面に当てられる各圧力センサ（２５）の押圧力の強弱を測定する測定面強弱センサ（２７）と、を有し、
主に手首の指先に近い位置の「寸（すん）」と、この「寸（すん）」に隣接した位置の「関（かん）」と、この「関（かん）」に隣接した位置の「尺（しゃく）」の３か所の撓骨（とうこつ）動脈部（ａｒ）を個別に測定できるように構成された、ことを特徴とする。
【００１６】
前記管理サーバ（３）における、前記測定値情報データベース（３６）は、ユーザー（Ａ）の現在の年齢、健康時の脈拍数と血圧値（最大／最小）、ユーザー（Ａ）の病歴とその罹（り）患時の年齢、その罹患時の脈拍数と血圧値（最大／最小）について測定した情報データを蓄積し、
前記健康状態情報データベース（３７）は、年齢別に健康な一般的な人の各臓器と、脈の測定位置毎の脈拍数、血圧値（最大／最小）との関係に関する情報データと、不健康なときの人の各臓器と、脈の測定位置毎の脈拍、血圧（最大／最小）との関係に関する情報データを蓄積した、したものである。
【００１７】
前記脈測定器（２ｂ）は、
前記圧力センサ（２５）に隣接して設けられた、手首（ｗｒ）の皮膚（ｓｋ）表面に当てられる前記圧力センサ（２５）の押圧力の強弱を測定する測定面強弱センサ（２７）が、主に軽く指を当てて触れる脈である「浮（ふ）脈」と、強く圧して初めて触れる脈である「沈（ちん）脈」との差異を測定できるように構成された、ものである。
【００１８】
前記脈測定器（２ｂ）のバンド（２１）の表面２か所に矢印（２６）を設け、これら２か所の矢印（２６）を結ぶ線（Ｌ）上に、前記圧力センサ（２５）の中心部が位置するように表示することが好ましい。
【００１９】
本発明の健康状態評価システムの作動方法は、人の脈拍を測定し、この測定した数値データを、管理サーバ（３）から構成される健康状態評価システムを用いて解析することにより、その人の健康状態が評価される脈拍測定による健康状態評価システムの作動方法であって、
健康状態の評価を受けるユーザー（Ａ）が、自分の動脈について、脈拍と血圧を脈測定器（２ｂ）を用いて測定し、
前記ユーザー（Ａ）が、測定した脈に関する測定値データについて、入力部（１４）の操作により制御される制御部（１２）を有する端末機器（１）を用いて健康評価管理者（Ｂ）に送信し、
前記健康評価管理者（Ｂ）が、ユーザー（Ａ）から送信された脈拍数、血圧値等の測定値データについて、前記管理サーバ（３）に格納された、ユーザー（Ａ）に関する脈について過去に測定したデータを蓄積した測定値情報データベース（３６）と、健康状態が悪化した臓器と脈の測定位置との関係データを格納した健康状態情報データベース（３７）とを判定部（３４）で比較し、
主に前記ユーザー（Ａ）が測定した脈に関する測定値データの脈拍が、「数（さく）脈」と称される９０拍／分以上の脈であるときは、血流が速くなる状態であり、基礎代謝が増加している状態を意味し、発熱疾患、精神緊張、甲状腺機能亢進症、脱水等の一般感染症の疑いがあり、
測定値データの脈拍が、「遅（ち）脈」と称される６０拍／分以下の脈であるときは、血流がゆっくりした状態であり、基礎代謝が低下している状態を意味し、甲状腺機能低下症、低体温症等の疑いがあると、該ユーザー（Ａ）の健康状態について評価解析されるように、前記健康状態評価システムを作動させ、
前記健康評価管理者（Ｂ）が、その健康状態の解析結果をユーザー（Ａ）の端末機器（１）へ送信する、ことを特徴とする。
【００２０】
また、前記ユーザー（Ａ）が測定した脈に関する測定値データの脈拍が、「寸（すん）」と称される、左手首の指先に近い位置の動脈に異常があるときは、心臓、小腸に問題があり、
左手首の「関（かん）」と称される、前記「寸（すん）」に隣接する位置の動脈に異常があるときは、肝臓、胆のうに問題があり、
左手首の「尺（しゃく）」と称される、前記「関（かん）」に隣接する位置の動脈に異常があるときは、腎臓、膀胱に問題があり、
右手首の「寸（すん）」の動脈に異常があるときは、肺、大腸に問題があり、
右手首の「関（かん）」の動脈に異常があるときは、脾臓、胃に問題があり、
右手首の「尺（しゃく）」の動脈に異常があるときは、腎臓に近い臓器（腎臓の精気（三焦））に問題があると、それぞれ評価されるように前記健康状態評価システムを作動させる、ことができる。
【発明の効果】
【００２１】
上記構成の健康状態評価システムとその作動方法では、ユーザー（Ａ）は測定した脈に関する測定値データを端末機器（１）から健康評価管理者（Ｂ）へ送信し、受信した健康評価管理者（Ｂ）は管理サーバ（３）で解析した健康状態に関する評価情報を端末機器（１）へ送信する構成であるため、従来は専門家の技能を必要とした脈診について、専門家に訪問することなく、多数の人が健康状態について評価してもらえる。ユーザー（Ａ）は自宅等の室内で自分の手首の脈を測定するだけで、健康状態について評価してもらえる。
本発明の健康状態評価システムとその作動方法では、この評価結果と個別の人間ドック等による健康診断の結果と併せて緻密に健康状態（体調）を知ることができる。
【００２２】
また、本発明の健康状態評価システムとその作動方法では、動脈について単に脈拍と血圧だけを測定するのではなく、脈の「深さ」、「速さ」、「強さ」、「位置」を測定することにより、詳細に健康状態を知ることができる。また、左右の手首の動脈に人差し指・中指・薬指の３本を当てて測定することで、左右の指の当たる場所で、人の内臓の健康状態、特に五臓（心臓・肝臓・脾臓・肺・腎臓）の状態を推測できる。左手首の動脈は、「寸（すん）」は心臓の状態、次の「関（かん）」は肝臓の状態、「尺（しゃく）」は腎臓の状態を推測できるとされている。右手首の動脈は、指先に近い「寸（すん）」は肺の状態、「関（かん）」は脾臓の状態、「尺（しゃく）」は腎臓に近い臓器（腎臓の精気（三焦））の状態をそれぞれ詳細に推測できる。
【００２３】
更に、本発明は遠隔地から健康評価管理者（Ｂ）との送受信によりその人の健康状態を知ることができる。そこで、災害地において被災した人について、緊急性を要するか、緊急性を要さないかの判断を健康状態評価システム・作動方法を利用すれば容易に判断することができる。例えば、被災した人の腕の脈を測定し、その測定値データを端末機器（１）を用いて健康評価管理者（Ｂ）へ送信し、健康状態の評価を受けることで救出を急ぐ人かの判断をすることができ多くの人命の救済になる。
【図面の簡単な説明】
【００２４】
【図１】本発明の脈拍測定による健康状態評価システムを説明する概略構成図である。
【図２】巻付け型の脈測定器の一例を示し、（ａ）は正面図、（ｂ）は側断面図である。
【図３】脈測定器の測定面強弱センサによるバンドの締め付け力を調整する制御状況を説明するフロー図である。
【図４】複数の圧力センサを有する個別型の脈測定器を示し、（ａ）は正面図、（ｂ）は側断面図である。
【図５】脈拍測定による健康状態評価システムの構成を示すブロック図である。
【図６】測定値情報データベースの具体的な構成を示すブロック図である。
【図７】健康状態情報データベースの具体的な構成を示すブロック図である。
【図８】本発明の脈拍測定による健康状態評価システムを用いて健康状態を評価する作業手順を示す作業フロー図である。
【図９】「数（さく）脈」、「遅（ち）脈」の解析処理方法を説明するフロー図である。
【図１０】手首の「寸（すん）」、「関（かん）」、「尺（しゃく）」を示す概略説明図である。
【図１１】東洋医学における左手首の動脈に人差し指・中指・薬指の３本を当てて測定する脈診の測定方法を示す概略説明図である。
【図１２】東洋医学における、皮膚の上から指を当てて動脈を測定する脈診を示す概略説明図であり、（ａ）は脈の「深さ」、（ｂ）は脈の「速さ」、（ｃ）は脈の「強さ」を測定する状態である。
【発明を実施するための形態】
【００２５】
本発明の脈拍測定による健康状態評価システムは、人の手首の脈拍を測定し、この測定した数値データを解析することにより、その人の健康状態（体調）を評価するシステムである。
【実施例１】
【００２６】
以下、本発明の好ましい実施の形態を図面を参照して説明する。
＜健康状態評価システムの構成＞
図１は本発明の脈拍測定による健康状態評価システムを説明する概略構成図である。
本発明の脈拍測定による健康状態評価システムは、健康状態（体調）の評価を受けるユーザーＡが所有するスマートフォン、タブレット、パソコン等の端末機器１と、手首の脈に関する種々の状態を測定する脈測定器２ａ，２ｂと、ユーザーＡの測定値データに基づいて脈に関連して健康状態を評価する健康評価管理者Ｂが運営する管理サーバ３とから構成されるシステムである。この健康評価管理者Ｂは医師自体、又は医師が所属する管理者である。特に、漢方医、鍼灸師等の東洋医学に造詣の深い専門家の所属が望ましい。
【００２７】
脈診により自己の健康状態を知りたいユーザーＡは、脈測定器２ａ，２ｂを用いて自己の脈（脈拍、血圧）を測定する。ユーザーＡは、その測定値を端末機器１からインターネット４に接続して、健康評価管理者Ｂに送信する。
測定値を受信した健康評価管理者Ｂは、その測定値と、予め蓄積されているユーザーＡの年齢、性別等の身体、健康状態に関連する情報と共に、過去の測定値データ、一般的な良好な健康状態の脈拍数、血圧値、良好でないときの健康状態の脈拍数、血圧値等を参照して、管理サーバ３で解析処理する。その解析結果であるユーザーＡの現在の健康状態について、健康評価管理者Ｂはインターネット４に接続してユーザーＡの端末機器１に返信する。
ユーザーＡはその端末機器１の表示部１３に表示された健康状態の評価に関する情報を確認して体調、又は症状について知ることができる。図１では１名の健康評価管理者Ｂと３名のユーザーＡを示したが、ユーザーＡは３名に限定されず、多数であることは勿論である。
【００２８】
＜脈測定器の構成＞
図２は巻付け型の脈測定器の基本的な形態を示し、（ａ）は正面図、（ｂ）は側断面図である。
ユーザーＡが自分の手首ｗｒの脈を測定するときは、例えば図２に示すような巻付け型の脈測定器２ａを用いる。この脈測定器２ａは、例えば手首ｗｒの撓骨（とうこつ）動脈部ａｒに巻き付けるバンド２１と、このバンド２１に一体的に取り付けたポンプ２２から給気されて膨張する空気袋２３と、この空気袋２３に取り付けた、可撓性を有する湾曲形状の案内板２４と、この案内板２４を介して空気袋２３に当接自在に配設した脈拍、血圧を測定する圧力センサ２５とから成る測定器である。この圧力センサ２５は、表示回路などに連結して表示部に測定値（脈拍数、血圧値）を表示する。更に信号を飛ばして端末機器１であるスマートフォン、タブレット、パソコン等のモニター画面等の表示部１３に表示する。この段階で、ユーザーＡは自分の脈拍数、血圧値が良好でないことをある程度は推測することができる。
【００２９】
巻付け型の脈測定器２ａには、位置決めとして機能する矢印２６がバンド２１の表面に２カ所記されている。これらの２か所の矢印２６を結ぶ線上Ｌは、圧力センサ２５の中心点を通るようになっている。手首ｗｒの撓骨（とうこつ）動脈部ａｒに、この圧力センサ２５が適切な位置に当て、その脈拍数と血圧値を正確に測定するためである。即ち、この矢印２６により、素人でも専門家と同じように動脈について、その適切な位置を測定できるようになる。
【００３０】
図３は脈測定器の測定面強弱センサによるバンドの締め付け力を調整する制御状況を説明するフロー図である。
本発明の巻付け型の脈測定器２ａには、手首の皮膚ｓｋ表面と押圧力の強弱を測定する測定面強弱センサ２７を備えている。この測定面強弱センサ２７は、脈測定器２ａに備えられたマイコン２８により制御される。圧力センサ２５は脈拍を測定するセンサである。この測定面強弱センサ２７は、圧力センサ２５が手首ｗｒの皮膚ｓｋ表面に接している状態、接している圧力を測定するセンサである。手首ｗｒに巻き付けているバンド２１の締め付け力を空気袋２３の空気充填度の調整により行うときのセンサになる。
【００３１】
図１２（ｃ）に示したように、脈は、取り方によって微妙に異なる。「浮（ふ）脈」又は「浮取（ふしゅ）」のように指が皮膚ｓｋに触れるか触れないかぐらいの当て方でも、脈を測定できるときは、空気袋２３の給気を少なくしてバンド２１の手首への締め付けを弱い状態にする。その締め付けの強弱をこの測定面強弱センサ２７により測定し、マイコン２８は空気袋２３の給気を少なくするコマンドを送る。
逆に、「沈（ちん）脈」又は「沈取（ちんしゅ）」のように、バンド２１の手首ｗｒへ強く押しつける必要があるときは、空気袋２３の空気の供給を増量する。この手首ｗｒの締め付け状態を測定する人に応じて微妙に可変できるようになっている。測定面強弱センサ２７により測定し、マイコン２８は空気袋２３の給気を多くするコマンドを送る。これらの空気袋２３への給気の可変をこの測定面強弱センサ２７とマイコン２８で制御するようになっている。
【００３２】
また、人の脈に関して、その測定する年齢、性別、体質、精神状態、環境などによって、生理的な範囲での脈象の変化は生じる。例えば、年齢は低いほど速く、若い男性は力強く、年を取れば弱く、気分が高揚すれば強く、空腹時には弱いといった具合に変化する。更に、このような測定の対象者、四季の変化の影響も受けるので、脈測定器２ａについては、このような微妙な変化を上述したマイコン２８で微調整する。
【００３３】
なお、圧力センサ２５に代えて脈波センサ（図示せず）を用いることができる。この脈波センサは光を発するＬＥＤと、血管の容積変化に伴い変化する光の吸収量を測定する光検出器からなるセンサである。また、脈測定器２ａは、図示例の巻付け型のバンド２１の構成に限定されず、手首ｗｒへの締め付け状態を可変できる構成であれば、種々の形態の構成ものを利用することができる。
【００３４】
＜複数の圧力センサを有する個別型脈測定器の構成＞
図４は複数の圧力センサを有する個別型の脈測定器を示し、（ａ）は正面図、（ｂ）は側断面図である。なお、巻付け型の脈測定器２ａと同じ機能を有する部材は同じ符号を用いて説明する。
図４に示す個別型脈測定器２ｂは、複数の圧力センサを有する脈測定器の変形例である。図示するように、手首ｗｒの指先に近い位置「寸（すん）」を、この「寸（すん）」に隣接して「関（かん）」を、この「関（かん）」に隣接して「尺（しゃく）」の３か所の撓骨（とうこつ）動脈部ａｒを個別に測定できるように、３組の圧力センサ２５をバンド２１に取り付けている。１枚のバンド２１に３個の空気袋２３と、各空気袋２３に取付けた、可撓性を有する湾曲形状の案内板２４と、各案内板２４を介して空気袋２３に各圧力センサ２５を設けている。更に、各圧力センサ２５に隣接して測定面強弱センサ２７を設けている。
なお、このような３組の圧力センサ２５を１枚のバンド２１に取り付けた例を図示している。３組の圧力センサ２５は必ずしも１枚のバンド２１に取り付ける必要はなく、３枚のバンド２１にそれぞれ取り付ける構成でも良い。
【００３５】
図４に示す個別型脈測定器２ｂについても、各測定面強弱センサ２７により測定し、マイコン２８で各空気袋２３の給気を多くし、逆に少なくするコマンドを送る。各空気袋２３の給気の可変をこの測定面強弱センサ２７とマイコン２８で制御することで、各測定箇所の締め付け力をここに調整することができる。そこで、この個別型脈測定器２ｂは微妙な脈の変化を測定できるようになる。
【００３６】
個別型脈測定器２ｂについても、矢印２６がバンド２１の表面に２カ所設けられている。手首の撓骨（とうこつ）動脈部ａｒに、各圧力センサ２５を適切な位置に当て、その脈拍数と血圧値を正確に測定するためである。個別型脈測定器２ｂでは、後述する「寸（すん）」、「関（かん）」、「尺（しゃく）」の３か所の動脈を正確に測定できるようにするためである。また、「寸（すん）」、「関（かん）」、「尺（しゃく）」は左手首に限らず、右手首の動脈を測定するときに適切な位置に圧力センサ２５を当てるためである。
【００３７】
図５は脈拍測定による健康状態評価システムの構成を示すブロック図である。図６は測定値情報データベースの具体的な構成を示すブロック図である。図７は健康状態情報データベースの具体的な構成を示すブロック図である。
端末機器１は、主に健康評価管理者Ｂの管理サーバ３との間で通信する送信部・受信部１１を有し、ＣＰＵなどの制御部１２を備えたスマートフォン、タブレット、パソコン等の機器である。端末機器１は、脈測定器２ａ又は個別型脈測定器２ｂで測定したユーザーＡの脈拍、血圧、更には必要に応じて体温等の測定値について管理サーバ３と送受信する。この端末機器１のモニター画面は、測定値を表示し、その解析結果である健康状態、体調の状態等を表示する表示部１３として機能する。なお、この端末機器１のモニター画面（表示部１３）には、ユーザーＡが測定した脈拍数、血圧値、体温等の測定値を表示することもできる。ユーザーＡは測定した数値を確認し、ある程度異常があるか否かを知ることもできる。
また、端末機器１のモニター画面（表示部１３）がタッチパネルのときは、そのまま数値、アドレス等を入力する入力部１４として機能する。キーボード、操作ボタンがあるときはこれが入力部１４となる。
【００３８】
また、端末機器１にＧＰＳ（ｇｒｏｂａｌ  ｐｏｓｉｔｉｏｎｉｎｇ  ｓｙｓｔｅｍ）機能を搭載しているときは、測定位置を特定でき、災害時に本発明の健康状態評価システムを用いるときに適している。その健康状態を知りたいユーザーＡが緊急性を有する状況か否かを管理サーバ３が判断し、緊急性を有する状況のときはそのまま救急車等の出動の契機を発信することができる。ＧＰＳは位置情報についても発信することが可能になる。
【００３９】
また、端末機器１が、図示していないが、脈波センサ（光電式脈波センサ）を内蔵したスマートフォンの場合は、上述した脈測定器２ａ又は個別型脈測定器２ｂを用いることなく、簡易に測定することができる。脈波センサの脈波とは、心臓が血液を送り出すことに伴い発生する、血管の容積変化をいう。体表面に脈波センサを接触させることで、脈拍などの測定ができるものである。特に、災害地において、緊急性を有する状況か否かを判断したいときに適している。
【００４０】
＜管理サーバの構成＞
脈拍測定による健康状態を評価する健康評価管理者Ｂには、管理サーバ３が備えられている。この管理サーバ３は、図５に示すように、例えばＣＰＵなどの情報処理部３１によって構成され、送信部・受信部３２、入力部３３、判定部３４、表示部３５とから成る。健康状態の評価を受けるユーザーＡの健康状態に関連する情報、過去の脈に関する測定値データを格納する測定値情報データベース３６と、脈の可変因子と健康状態に関する健康状態情報を格納する健康状態情報データベース３７とを有する。
【００４１】
ユーザーＡに関する測定値情報データベース３６は、図６に示すように、ユーザーＡの現在の年齢、性別、健康時の脈拍数と血圧値（最大／最小）、ユーザーＡの病歴とその罹（り）患時の年齢、その罹患時の脈拍数と血圧値（最大／最小）について測定した情報データを蓄積したデータベースである。脈拍数は年齢に比例して変化するものであるため、若い人であれば、正常な数値が高齢者であると異常な数値になることがある。現在の年齢は重要な因子になる。また、健康時の脈拍数と血圧値（最大／最小）は、人それぞれ微妙に異なるため、これらも重要な基礎データとなる。
【００４２】
ユーザーＡの病歴の情報が重要な因子になる理由は、脈の異常がそのまま持病に直結することが多いからである。その罹（り）患時の年齢、その罹患時の脈拍数と血圧値（最大／最小）がデータとして重要になる。健康時の脈拍数と血圧値（最大／最小）と罹（り）患時のそれとを比較すれば容易に現在の状態が健康か否かを判定しやすくなる。
【００４３】
健康状態情報データベース３７は、図７に示すように、年齢別に健康な一般的な人の各臓器と、脈の測定位置毎の脈拍数、血圧値（最大／最小）との関係に関する情報データと、不健康なときの人の各臓器と、脈の測定位置毎の脈拍、血圧（最大／最小）との関係に関する情報データを蓄積したデータベースである。ユーザーＡに病歴がないときは比較対象の情報データがない。そこで、健康な一般的な人の各臓器と、脈の測定位置毎の脈拍数、血圧値（最大／最小）と、不健康なときの脈拍数、血圧値（最大／最小）を比較し、ユーザーＡの測定値に基づいて健康か否かを判定、推測する。
【００４４】
管理サーバ３の判定部３４は、端末機器１から脈測定器２ａ、２ｂで測定した脈に関する測定値等を受信し、そのユーザーＡに関する事項と測定値等の比較条件が成立した場合に、測定値情報データベース３６と健康状態情報データベース３７に格納されたデータと、測定された測定値と比較し、健康状態について判定、推測する。
この判定部３４では、後述するような表１から表５に示すような、測定値等の数値からそのユーザーＡが現在どのような状況、体調、病気の状況等の健康状態を評価し、推測する。
【００４５】
図８は本発明の脈拍測定による健康状態評価システムを用いて健康状態を評価する作業手順を示す作業フロー図である。
本発明の脈拍測定による健康状態評価システムを用いて健康状態を評価する作業手順について説明する。
（１）ユーザーの登録段階  
先ず、健康状態の評価を受けるユーザーＡは、健康評価管理者Ｂの管理サーバ３にアクセスする。ユーザーＡは、管理サーバ３の測定値情報データベース３６に、ユーザーＡの現在の年齢、性別、健康時の脈拍数と血圧値（最大／最小）、ユーザーＡの病歴とその罹（り）患時の年齢、その罹患時の脈拍数と血圧値（最大／最小）について測定した情報を予め蓄積しておく。
（２）ユーザーの測定段階  
ユーザーＡが自分の健康状態について知りたとき、又は所定期間毎にユーザーＡは、自分の手首の橈骨（とうこつ）動脈部ａｒ等の数ヵ所について、脈拍と血圧を脈測定器２ａ、２ｂを用いて測定する。必要に応じて体温を測定する。これらの測定値をスマートフォン等の端末機器１を用いて健康評価管理者Ｂの管理サーバ３に送信する。
（３）健康評価管理者の評価判定段階
健康評価管理者Ｂの管理サーバ３では、ユーザーＡから送信された脈拍数、血圧等の測定値データについて、管理サーバ３に格納された、ユーザーＡに関する脈について過去に測定したデータ等を蓄積した測定値情報データベース３６と、健康状態が悪化した臓器と脈の測定位置との関係データ等を格納した健康状態情報データベース３７とを判定部３４で比較して、そのユーザーＡの健康状態について評価解析する。この評価情報について健康評価管理者Ｂの管理サーバ３からユーザーＡの端末機器１に送信する。
ユーザーＡは、端末機器１の表示部１３に表示された評価情報を確認して自分の健康状態について確認する。このようにユーザーＡは遠隔地でも専門家の健康状態に関する評価を受けることができる。
【００４６】
＜解析例１「浮（ふ）脈」、「沈（ちん）脈」＞
次に、本発明の脈拍測定による健康状態評価システムを用いて健康状態を評価する具体的な評価作業を説明する。なお、表１から表５は、一例であって脈診には数十種類の健康評価ができるので、これらのものに限定されないことは勿論である。
健康評価管理者Ｂの管理サーバ３の判定部３４は、ユーザーＡから送信された脈の測定値が、例えば「浮（ふ）脈」又は「沈（ちん）脈」の場合は、表１に示すように解析する。浮（ふ）脈は軽く指を当てて触れる脈である。これは、血管が緩んだ状態、即ち末梢血管拡張状態であり、病が表面にあることを意味する。健康状態として体熱を放散する目的があり、「風邪」のおそれがあること意味する。その対処方法を提案する。
【００４７】
【表１】
2020074940.tif 000020
【００４８】
他方、「沈（ちん）脈」は強く圧して初めて触れる脈である。これは血管が緊張した状態、即ち末梢循環収縮状態であり、多くは冷えによるものであると考えられる。その対処方法として体熱を逃がさないようにすることを提案する。
なお、「平（へい）」は浮脈でも沈脈でもないため、健康状態は良好であることを意味する。
【００４９】
＜解析例２「数（さく）脈」、「遅（ち）脈」＞
図９は「数（さく）脈」、「遅（ち）脈」の解析処理方法を説明するフロー図である。
管理サーバ３の判定部３４は、図示するように、ユーザーＡから送信された脈の測定結果が、９０拍/分以上の脈のときは、「数（さく）脈」と判断する。６０拍/分以下のときは、「遅（ち）脈」と判断する。それ以外のときは「平（へい））脈」と判断する。その「数（さく）脈」又は「遅（ち）脈」の場合は、表２に示すように解析する。
【００５０】
【表２】
2020074940.tif 000021
【００５１】
「数（さく）脈」の９０拍/分以上の脈は、血流が速くなる状態であり、基礎代謝が増加している状態を意味する。例えば、発熱疾患、精神緊張、甲状腺機能亢進症、脱水等の一般感染症の疑いがあることを意味する。その対処方法として体熱を冷ますことを提案する。
【００５２】
他方、「遅（ち）脈」の６０拍/分以下の脈は、血流がゆっくりになる状態であり、基礎代謝が低下している状態を意味する。例えば、甲状腺機能低下症、低体温症の疑いがあることを意味する。
【００５３】
「遅（ち）脈」の場合は、一般的にはまず心疾患（房室ブロック）が考えられる。心臓に異常がなければ、甲状腺機能低下症（基礎代謝低下による徐脈）などの内分泌疾患が考えられる。更には、血虚（血液量不足）または腎虚（精力不足）の状態を推定する。
「平（へい））脈」のときは、健康状態は良好であると推測する。
【００５４】
＜解析例３「実（じつ）脈」、「虚（きょ）脈」＞
管理サーバ３の判定部３４は、ユーザーＡから送信された脈の測定結果が、例えば「実（じつ）脈」又は「虚（きょ）脈」の場合は、表３に示すように解析する。「実（じつ）脈」は血液が血管に充満して圧力をかけている脈である。例えば、高血圧、動脈硬化状態。心拍出量増大の疑いがあることを意味する。
【００５５】
【表３】
2020074940.tif 000022
【００５６】
「虚（きょ）脈」は明らかに力のない脈で、浮中沈ともあまり触れない脈である。血液が血管をかろうじて満たしている状況で、圧力に乏しいのである。低血圧状態を意味する。更には生命力が低下している状態を意味する。
【００５７】
＜解析例４「寸（すん）」、「関（かん）」、「尺（しゃく）」＞
図１０は手首の「寸（すん）」、「関（かん）」、「尺（しゃく）」を示す概略説明図である。
管理サーバ３の判定部３４は、ユーザーＡから送信された脈の測定結果が、更に、「寸（すん）」、「関（かん）」、「尺（しゃく）」により異なる場合は、表４と表５に示すように解析する。図１１に示したように、左右の指の当たる場所で、人の内臓の健康状態、特に五臓（心臓・肝臓・脾臓・肺・腎臓）の状態を推測できるとされている。
左手の動脈は、表４に示すように、指先に近い「寸（すん）」は心臓、小腸の状態、次の「関（かん）」は肝臓、胆のうの状態、「尺（しゃく）」は腎臓、膀胱の状態を推測できるとされている。
右手の動脈は、表５に示すように、指先に近い方「寸（すん）」は肺、大腸の状態、「関（かん）」は脾臓、胃の状態、「尺（しゃく）」は腎臓に近い臓器（腎臓の精気（三焦））の状態をそれぞれ推測できるとされている。
【００５８】
【表４】
2020074940.tif 000023
【００５９】
【表５】
2020074940.tif 000024
【００６０】
人間の内臓は、横隔膜より上方の胸部には肺と心臓があり、体幹の真ん中、腹部の上方には胃、脾臓と肝臓があり、腹の下部には腎臓が配置されている。これらを脈に当てはめると、左右の別はあるが、手の指先に近い方を上方としたら、そこは、心臓と肺が対応する。真ん中の場所が脾臓、胃と肝臓が対応する。腹部の下部、つまり肘に近いところは腎臓と三焦に対応する。この三焦とは、脈を測定する指は３本と３本、対応するのが五臓では１つ足りない。そこで、バランスをよくするための漢方的な器官が三焦である。腎臓は左右、２個あるので左が腎臓で、右が三焦であるとされている。腎臓の精気、熱エネルギーの部分を表しているとされている。
【００６１】
これらの左手の「寸（すん）」、「関（かん）」、「尺（しゃく）」と右手の「寸（すん）」、「関（かん）」、「尺（しゃく）」の臓器の位置と、上述した「浮（ふ）脈」、「沈（ちん）脈」の状態の解析結果を組み合わせることにより、その脈に関する測定値を判定する。その結果精度の高い健康状態の評価を判断することができる。
【００６２】
なお、本発明は、漢方医、鍼灸師等の専門家が接診により行っていた「脈診」を脈測定器とデータベース解析により、精度の高い健康状態の評価をして健康管理することができ、更にこの健康状態の評価結果を、普段個人的に受けている健康診断と併せて判断し健康管理に資することができる構成であれば、上述した発明の実施の形態に限定されず、本発明の要旨を逸脱しない範囲で種々変更できることは勿論である。
【産業上の利用可能性】
【００６３】
本発明の脈拍測定による健康状態評価システムとその作動方法は、個人的に健康状態の評価に利用できるだけでなく、災害地において被災した人について、緊急性を要するか否かの判断に利用することができる。
【符号の説明】
【００６４】
１  端末機器
１１  端末機器の送信部・受信部
１２  端末機器の制御部
１３  端末機器の表示部
１４  端末機器の入力部
２ａ  脈測定器（基本型脈測定器）
２ｂ  脈測定器（個別型脈測定器）
２１  バンド
２２  ポンプ
２３  空気袋
２４  案内板
２５  圧力センサ
２６  矢印
２７  測定面強弱センサ
３  管理サーバ
３２  管理サーバの送信部・受信部
３４  管理サーバの判定部
３６  測定値情報データベース
３７  健康状態情報データベース
Ａ  ユーザー
Ｂ  健康評価管理者
ｗｒ  手首
ａｒ  撓骨（とうこつ）動脈部
ｓｋ  皮膚
Ｌ  矢印を結ぶ線
【手続補正２】
【補正対象書類名】特許請求の範囲
【補正対象項目名】全文
【補正方法】変更
【補正の内容】
【特許請求の範囲】
【請求項１】
人の脈を測定し、この測定した数値データを解析することにより、その人の健康状態を評価する脈拍測定による健康状態評価システムであって、
健康状態の評価を受けるユーザー（Ａ）の動脈について、脈拍と血圧を測定する脈測定器（２ｂ）と、
前記脈測定器（２ｂ）で測定した測定値データを表示する表示部（１３）と、入力部（１４）の操作により制御される制御部（１２）と、該測定値データを健康評価管理者（Ｂ）に送信すると共に、該健康評価管理者（Ｂ）から情報を受信する送信部・受信部（１１）を有する端末機器（１）と、
前記健康評価管理者（Ｂ）が管理する、前記端末機器（１）から送信された測定値データを受信する送信部・受信部（３２）と、ユーザー（Ａ）に関する脈について過去に測定したデータを蓄積した測定値情報データベース（３６）と、健康状態が悪化した臓器と脈の測定位置との関係データを格納した健康状態情報データベース（３７）と、健康状態を評価解析する判定部（３４）を有する管理サーバ（３）と、を備え、
ユーザー（Ａ）は前記端末機器（１）から測定した脈に関する測定値データを健康評価管理者（Ｂ）へ送信し、該健康評価管理者（Ｂ）は前記管理サーバ（３）で解析した健康状態に関する評価情報を該端末機器（１）へ送信し得るように構成し、
更に、前記脈測定器（２ｂ）は、
手首（ｗｒ）上で撓骨（とうこつ）動脈部（ａｒ）に対応する部分に巻き付けるバンド（２１）と、
該バンド（２１）に取り付けられたポンプ（２２）から給気されて膨張する３個の空気袋（２３）と、
各空気袋（２３）に取り付けた湾曲形状の案内板（２４）と、
各案内板（２４）を介して各空気袋（２３）に設けた、脈を測定する圧力センサ（２５）と、
各圧力センサ（２５）に隣接して設けた、手首（ｗｒ）の皮膚（ｓｋ）表面に当てられる各圧力センサ（２５）の押圧力の強弱を測定する測定面強弱センサ（２７）と、を有し、
主に手首の指先に近い位置の「寸（すん）」と、この「寸（すん）」に隣接した位置の「関（かん）」と、この「関（かん）」に隣接した位置の「尺（しゃく）」の３か所の撓骨（とうこつ）動脈部（ａｒ）を個別に測定できるように構成された、ことを特徴とする脈拍測定による健康状態の評価システム。
【請求項２】
前記管理サーバ（３）における、前記測定値情報データベース（３６）は、ユーザー（Ａ）の現在の年齢、健康時の脈拍数と血圧値（最大／最小）、ユーザー（Ａ）の病歴とその罹（り）患時の年齢、その罹患時の脈拍数と血圧値（最大／最小）について測定した情報データを蓄積し、
前記健康状態情報データベース（３７）は、年齢別に健康な一般的な人の各臓器と、脈の測定位置毎の脈拍数、血圧値（最大／最小）との関係に関する情報データと、不健康なときの人の各臓器と、脈の測定位置毎の脈拍、血圧（最大／最小）との関係に関する情報データを蓄積した、ことを特徴とする請求項１の脈拍測定による健康状態評価システム。
【請求項３】
前記脈測定器（２ｂ）は、
前記圧力センサ（２５）に隣接して設けられた、手首（ｗｒ）の皮膚（ｓｋ）表面に当てられる前記圧力センサ（２５）の押圧力の強弱を測定する測定面強弱センサ（２７）が、主に軽く指を当てて触れる脈である「浮（ふ）脈」と、強く圧して初めて触れる脈である「沈（ちん）脈」との差異を測定できるように構成された、ことを特徴とする請求項１の脈拍測定による健康状態評価システム。
【請求項４】
前記脈測定器（２ｂ）のバンド（２１）の表面２か所に矢印（２６）を設け、これら２か所の矢印（２６）を結ぶ線（Ｌ）上に、前記圧力センサ（２５）の中心部が位置するように表示した、ことを特徴とする請求項１又は３の脈拍測定による健康状態評価システム。
【請求項５】
人の脈拍を測定し、この測定した数値データを、管理サーバ（３）から構成される健康状態評価システムを用いて解析することにより、その人の健康状態が評価される脈拍測定による健康状態評価システムの作動方法であって、
健康状態の評価を受けるユーザー（Ａ）が、自分の動脈について、脈拍と血圧を脈測定器（２ｂ）を用いて測定し、
前記ユーザー（Ａ）が、測定した脈に関する測定値データについて、入力部（１４）の操作により制御される制御部（１２）を有する端末機器（１）を用いて健康評価管理者（Ｂ）に送信し、
前記健康評価管理者（Ｂ）が、ユーザー（Ａ）から送信された脈拍数、血圧値等の測定値データについて、前記管理サーバ（３）に格納された、ユーザー（Ａ）に関する脈について過去に測定したデータを蓄積した測定値情報データベース（３６）と、健康状態が悪化した臓器と脈の測定位置との関係データを格納した健康状態情報データベース（３７）とを判定部（３４）で比較し、
主に前記ユーザー（Ａ）が測定した脈に関する測定値データの脈拍が、「数（さく）脈」と称される９０拍／分以上の脈であるときは、血流が速くなる状態であり、基礎代謝が増加している状態を意味し、発熱疾患、精神緊張、甲状腺機能亢進症、脱水等の一般感染症の疑いがあり、
測定値データの脈拍が、「遅（ち）脈」と称される６０拍／分以下の脈であるときは、血流がゆっくりした状態であり、基礎代謝が低下している状態を意味し、甲状腺機能低下症、低体温症等の疑いがあると、該ユーザー（Ａ）の健康状態について評価解析されるように、前記健康状態評価システムを作動させ、
前記健康評価管理者（Ｂ）が、その健康状態の解析結果をユーザー（Ａ）の端末機器（１）へ送信する、ことを特徴とする脈拍測定による健康状態評価システムの作動方法。
【請求項６】
前記ユーザー（Ａ）が測定した脈に関する測定値データの脈拍が、「寸（すん）」と称される、左手首の指先に近い位置の動脈に異常があるときは、心臓、小腸に問題があり、
左手首の「関（かん）」と称される、前記「寸（すん）」に隣接する位置の動脈に異常があるときは、肝臓、胆のうに問題があり、
左手首の「尺（しゃく）」と称される、前記「関（かん）」に隣接する位置の動脈に異常があるときは、腎臓、膀胱に問題があり、
右手首の「寸（すん）」の動脈に異常があるときは、肺、大腸に問題があり、
右手首の「関（かん）」の動脈に異常があるときは、脾臓、胃に問題があり、
右手首の「尺（しゃく）」の動脈に異常があるときは、腎臓に近い臓器（腎臓の精気（三焦））に問題があると、それぞれ評価されるように前記健康状態評価システムを作動させる、ことを特徴とする請求項５の脈拍測定による健康状態評価システムの作動方法。
【手続補正３】
【補正対象書類名】図面
【補正対象項目名】図２
【補正方法】変更
【補正の内容】
【図２】
2020074940.tif 000025
【手続補正４】
【補正対象書類名】図面
【補正対象項目名】図４
【補正方法】変更
【補正の内容】
【図４】
2020074940.tif 000026
【手続補正５】
【補正対象書類名】図面
【補正対象項目名】図５
【補正方法】変更
【補正の内容】
【図５】
2020074940.tif 000027
【手続補正書】
【提出日】平成31年1月7日(2019.1.7)
【手続補正１】
【補正対象書類名】明細書
【補正対象項目名】００１９
【補正方法】変更
【補正の内容】
【００１９】
本発明の健康状態評価システムの作動方法は、測定された人の脈拍の数値データを、管理サーバ（３）から構成される健康状態評価システムを用いて解析することにより、その人の健康状態が評価される脈拍測定による健康状態評価システムの作動方法であって、
脈測定器（２ｂ）により、健康状態の評価を受けるユーザー（Ａ）の動脈についての脈拍と血圧が測定され、
入力部（１４）の操作により制御される制御部（１２）を有する端末機器（１）により、前記ユーザー（Ａ）の測定された脈に関する測定値データが、健康評価管理者（Ｂ）の前記管理サーバ（３）に送信され、
判定部（３４）により、前記ユーザー（Ａ）から送信された脈拍数、血圧値等の測定値データについて、前記管理サーバ（３）に格納された、ユーザー（Ａ）に関する脈について過去に測定したデータを蓄積した測定値情報データベース（３６）と、健康状態が悪化した臓器と脈の測定位置との関係データを格納した健康状態情報データベース（３７）とが比較され、
主に前記ユーザー（Ａ）の測定された脈に関する測定値データの脈拍が、「数（さく）脈」と称される９０拍／分以上の脈であるときは、血流が速くなる状態であり、基礎代謝が増加している状態を意味し、発熱疾患、精神緊張、甲状腺機能亢進症、脱水等の一般感染症の疑いがあり、
測定値データの脈拍が、「遅（ち）脈」と称される６０拍／分以下の脈であるときは、血流がゆっくりした状態であり、基礎代謝が低下している状態を意味し、甲状腺機能低下症、低体温症等の疑いがあると、該ユーザー（Ａ）の健康状態について評価解析され、
その健康状態の解析結果がユーザー（Ａ）の端末機器（１）へ送信されるように、前記健康状態評価システムを作動させる、ことを特徴とする。
【手続補正２】
【補正対象書類名】特許請求の範囲
【補正対象項目名】全文
【補正方法】変更
【補正の内容】
【特許請求の範囲】
【請求項１】
人の脈を測定し、この測定した数値データを解析することにより、その人の健康状態を評価する脈拍測定による健康状態評価システムであって、
健康状態の評価を受けるユーザー（Ａ）の動脈について、脈拍と血圧を測定する脈測定器（２ｂ）と、
前記脈測定器（２ｂ）で測定した測定値データを表示する表示部（１３）と、入力部（１４）の操作により制御される制御部（１２）と、該測定値データを健康評価管理者（Ｂ）に送信すると共に、該健康評価管理者（Ｂ）から情報を受信する送信部・受信部（１１）を有する端末機器（１）と、
前記健康評価管理者（Ｂ）が管理する、前記端末機器（１）から送信された測定値データを受信する送信部・受信部（３２）と、ユーザー（Ａ）に関する脈について過去に測定したデータを蓄積した測定値情報データベース（３６）と、健康状態が悪化した臓器と脈の測定位置との関係データを格納した健康状態情報データベース（３７）と、健康状態を評価解析する判定部（３４）を有する管理サーバ（３）と、を備え、
ユーザー（Ａ）は前記端末機器（１）から測定した脈に関する測定値データを健康評価管理者（Ｂ）へ送信し、該健康評価管理者（Ｂ）は前記管理サーバ（３）で解析した健康状態に関する評価情報を該端末機器（１）へ送信し得るように構成し、
更に、前記脈測定器（２ｂ）は、
手首（ｗｒ）上で撓骨（とうこつ）動脈部（ａｒ）に対応する部分に巻き付けるバンド（２１）と、
該バンド（２１）に取り付けられたポンプ（２２）から給気されて膨張する３個の空気袋（２３）と、
各空気袋（２３）に取り付けた湾曲形状の案内板（２４）と、
各案内板（２４）を介して各空気袋（２３）に設けた、脈を測定する圧力センサ（２５）と、
各圧力センサ（２５）に隣接して設けた、手首（ｗｒ）の皮膚（ｓｋ）表面に当てられる各圧力センサ（２５）の押圧力の強弱を測定する測定面強弱センサ（２７）と、を有し、
主に手首の指先に近い位置の「寸（すん）」と、この「寸（すん）」に隣接した位置の「関（かん）」と、この「関（かん）」に隣接した位置の「尺（しゃく）」の３か所の撓骨（とうこつ）動脈部（ａｒ）を個別に測定できるように構成された、ことを特徴とする脈拍測定による健康状態の評価システム。
【請求項２】
前記管理サーバ（３）における、前記測定値情報データベース（３６）は、ユーザー（Ａ）の現在の年齢、健康時の脈拍数と血圧値（最大／最小）、ユーザー（Ａ）の病歴とその罹（り）患時の年齢、その罹患時の脈拍数と血圧値（最大／最小）について測定した情報データを蓄積し、
前記健康状態情報データベース（３７）は、年齢別に健康な一般的な人の各臓器と、脈の測定位置毎の脈拍数、血圧値（最大／最小）との関係に関する情報データと、不健康なときの人の各臓器と、脈の測定位置毎の脈拍、血圧（最大／最小）との関係に関する情報データを蓄積した、ことを特徴とする請求項１の脈拍測定による健康状態評価システム。
【請求項３】
前記脈測定器（２ｂ）は、
前記圧力センサ（２５）に隣接して設けられた、手首（ｗｒ）の皮膚（ｓｋ）表面に当てられる前記圧力センサ（２５）の押圧力の強弱を測定する測定面強弱センサ（２７）が、主に軽く指を当てて触れる脈である「浮（ふ）脈」と、強く圧して初めて触れる脈である「沈（ちん）脈」との差異を測定できるように構成された、ことを特徴とする請求項１の脈拍測定による健康状態評価システム。
【請求項４】
前記脈測定器（２ｂ）のバンド（２１）の表面２か所に矢印（２６）を設け、これら２か所の矢印（２６）を結ぶ線（Ｌ）上に、前記圧力センサ（２５）の中心部が位置するように表示した、ことを特徴とする請求項１又は３の脈拍測定による健康状態評価システム。
【請求項５】
測定された人の脈拍の数値データを、管理サーバ（３）から構成される健康状態評価システムを用いて解析することにより、その人の健康状態が評価される脈拍測定による健康状態評価システムの作動方法であって、
脈測定器（２ｂ）により、健康状態の評価を受けるユーザー（Ａ）の動脈についての脈拍と血圧が測定され、
入力部（１４）の操作により制御される制御部（１２）を有する端末機器（１）により、前記ユーザー（Ａ）の測定された脈に関する測定値データが、健康評価管理者（Ｂ）の前記管理サーバ（３）に送信され、
判定部（３４）により、前記ユーザー（Ａ）から送信された脈拍数、血圧値等の測定値データについて、前記管理サーバ（３）に格納された、ユーザー（Ａ）に関する脈について過去に測定したデータを蓄積した測定値情報データベース（３６）と、健康状態が悪化した臓器と脈の測定位置との関係データを格納した健康状態情報データベース（３７）とが比較され、
主に前記ユーザー（Ａ）の測定された脈に関する測定値データの脈拍が、「数（さく）脈」と称される９０拍／分以上の脈であるときは、血流が速くなる状態であり、基礎代謝が増加している状態を意味し、発熱疾患、精神緊張、甲状腺機能亢進症、脱水等の一般感染症の疑いがあり、
測定値データの脈拍が、「遅（ち）脈」と称される６０拍／分以下の脈であるときは、血流がゆっくりした状態であり、基礎代謝が低下している状態を意味し、甲状腺機能低下症、低体温症等の疑いがあると、該ユーザー（Ａ）の健康状態について評価解析され、
その健康状態の解析結果がユーザー（Ａ）の端末機器（１）へ送信されるように、前記健康状態評価システムを作動させる、ことを特徴とする脈拍測定による健康状態評価システムの作動方法。
【請求項６】
前記ユーザー（Ａ）が測定した脈に関する測定値データの脈拍が、「寸（すん）」と称される、左手首の指先に近い位置の動脈に異常があるときは、心臓、小腸に問題があり、
左手首の「関（かん）」と称される、前記「寸（すん）」に隣接する位置の動脈に異常があるときは、肝臓、胆のうに問題があり、
左手首の「尺（しゃく）」と称される、前記「関（かん）」に隣接する位置の動脈に異常があるときは、腎臓、膀胱に問題があり、
右手首の「寸（すん）」の動脈に異常があるときは、肺、大腸に問題があり、
右手首の「関（かん）」の動脈に異常があるときは、脾臓、胃に問題があり、
右手首の「尺（しゃく）」の動脈に異常があるときは、腎臓に近い臓器（腎臓の精気（三焦））に問題があると、それぞれ評価されるように前記健康状態評価システムを作動させる、ことを特徴とする請求項５の脈拍測定による健康状態評価システムの作動方法。